(57)【要約】本発明は基板を処理する方法を提供する。この方法は、基板の表面上に感光性材料層を有する基板を提供することと、感光性材料層の外縁から感光性材料を除去することと、基板の表面上に残っている感光性材料層に、半径方向の幅を有するエッジを生成するように除去を制御することと、を含む。感光性材料は、厚さが変動することにより半径方向の幅における厚さプロファイルを形成し、除去は、エッジの長さに沿った厚さプロファイルの変動を生成するように制御される、及び／又は、除去は、基板の表面上に残っている感光性材料層に粗いエッジを生成するように制御される。【選択図】図５
2019506730.tif 000002
【特許請求の範囲】
【請求項１】
基板を処理する方法であって、
基板の表面上に感光性材料層を有する前記基板を提供することと、
前記感光性材料層の外縁から感光性材料を除去することと、前記基板の前記表面上に残っている前記感光性材料層に、半径方向の幅を有するエッジを生成するように前記除去を制御することと、を含み、前記感光性材料は、厚さが変動することにより前記半径方向の幅における厚さプロファイルを形成し、前記除去は、前記エッジの長さに沿った前記厚さプロファイルの変動を生成するように制御される、方法。
【請求項２】
前記エッジは粗いエッジである、請求項１に記載の方法。
【請求項３】
前記エッジはパターン付きエッジである、請求項１に記載の方法。
【請求項４】
基板を処理する方法であって、
基板の表面上に感光性材料層を有する前記基板を提供することと、
前記感光性材料層の外縁から感光性材料を除去することと、前記基板の前記表面上に残っている前記感光性材料層に粗いエッジを生成するように前記除去を制御することと、
を含む、方法。
【請求項５】
前記感光性材料層の前記外縁から前記感光性材料を除去することは、ノズルを用いて前記感光性材料層の前記外縁の前記感光性材料層に流体をスプレーすることと、前記粗いエッジを生成するように前記流体をスプレーする場合に前記ノズル及び／又は前記基板を振動させることと、を含む、請求項２又は４に記載の方法。
【請求項６】
前記除去することは、前記感光性材料層の前記外縁の感光性材料を除去するための初期除去ステップを含み、更に、前記粗いエッジを生成するように、ノズルから流体をスプレーして残りの感光性材料層の周りから更に感光性材料を除去することを含む、請求項２又は４に記載の方法。
【請求項７】
前記感光性材料層の前記外縁から前記感光性材料を除去することは、レーザからの放射を前記感光性材料層の前記外縁の前記感光性材料に入射するように誘導することを含む、請求項１から５のいずれかに記載の方法。
【請求項８】
前記除去することは、前記感光性材料層の前記外縁の感光性材料を除去するための初期除去ステップを含み、更に、前記エッジ又は前記粗いエッジを生成するように、レーザからの放射を前記感光性材料に入射するよう誘導して残りの感光性材料層の周りから更に感光性材料を除去することを含む、請求項１から５のいずれかに記載の方法。
【請求項９】
前記エッジ又は前記粗いエッジを生成するように前記感光性材料に対する前記放射の入射を振動させること、及び／又は前記レーザからの前記放射ビームをパルス化することを更に含み、前記エッジ又は前記粗いエッジを生成するように、前記感光性材料に入射する前記パルス化放射を前記感光性材料に対して移動させる、請求項７又は８に記載の方法。
【請求項１０】
パターニングデバイスを提供することと、前記エッジを生成するように前記パターニングデバイスから反射するよう又は前記パターニングデバイスを通過するよう前記放射を誘導することと、を更に含む、請求項７から９のいずれかに記載の方法。
【請求項１１】
前記感光性材料層の前記外縁から前記感光性材料を除去することは、前記感光性材料層の前記外縁の前記感光性材料をプラズマに暴露することを含む、請求項１から５のいずれかに記載の方法。
【請求項１２】
前記除去することは、前記感光性材料層の前記外縁の感光性材料を除去するための初期除去ステップを含み、更に、前記エッジ又は前記粗いエッジを生成するように、前記感光性材料をプラズマに暴露して残りの感光性材料層の周りから更に感光性材料を除去することを含む、請求項１から５のいずれかに記載の方法。
【請求項１３】
前記基板の前記エッジにおける円周方向速度が約１２ｍ／ｓ以下、好ましくは約１０ｍ／ｓ以下、又は更に好ましくは８ｍ／ｓ以下であるように前記基板を回転させることを更に含む、請求項１から１２のいずれかに記載の方法。
【請求項１４】
基板を処理するための装置であって、
表面上に感光性材料層を含む基板を支持するように構成された基板サポートシステムと、
前記感光性材料層の外縁から感光性材料を除去するように構成された基板エッジ処理ユニットと、を備え、前記基板エッジ処理ユニットは、前記基板の前記表面上に残っている前記感光性材料層に、半径方向の幅を有するエッジを生成するよう前記除去を制御するように構成され、前記感光性材料は、厚さが変動することにより前記半径方向の幅における厚さプロファイルを形成し、前記基板エッジ処理ユニットは、前記エッジの長さに沿った前記厚さプロファイルの変動を制御するよう前記除去を制御するように構成されている、装置。
【請求項１５】
基板を処理するための装置であって、
表面上に感光性材料層を含む基板を支持するように構成された基板サポートシステムと、
前記感光性材料層の外縁から感光性材料を除去するように構成された基板エッジ処理ユニットと、を備え、前記基板エッジ処理ユニットは、前記基板の前記表面上に残っている前記感光性材料層に粗いエッジを生成するよう前記除去を制御するように構成されている、装置。
【発明の詳細な説明】
【技術分野】
【０００１】
（関連出願の相互参照）
[0001]  本出願は、２０１５年１２月２３日及び２０１６年２月４日に出願された欧州特許第１５２０２２９１．９号及び欧州特許第１６１５４２５６．８号の優先権を主張する。これらは援用により全体が本願に含まれる。
【０００２】
[0002]  本開示は、基板の外縁から感光性材料を除去するための方法及び装置に関する。
【背景技術】
【０００３】
[0003]  リソグラフィ装置は、所望のパターンを基板に、通常は基板のターゲット部分に適用する機械である。リソグラフィ装置は、例えば、集積回路（ＩＣ）の製造に使用可能である。このような場合、代替的にマスク又はレチクルとも呼ばれるパターニングデバイスを使用して、ＩＣの個々の層上に形成すべき回路パターンを生成することができる。このパターンを、基板（例えばシリコンウェーハ）上のターゲット部分（例えば１つ又は幾つかのダイの一部を含む）に転写することができる。パターンの転写は通常、基板に設けた放射感光性材料（レジスト）の層への結像により行われる。転写は、リソグラフィ装置内の投影システムを介して行われてもよい。一般的に、１枚の基板は、順次パターンが付与される隣接したターゲット部分のネットワークを含んでいる。従来のリソグラフィ装置は、パターン全体をターゲット部分に１回で露光することによって各ターゲット部分が照射される、いわゆるステッパと、基板を所与の方向（「スキャン」方向）と平行あるいは逆平行に同期的にスキャンしながら、パターンを所与の方向（「スキャン」方向）に放射ビームでスキャンすることにより、各ターゲット部分が照射される、いわゆるスキャナとを含む。
【０００４】
[0004]  いわゆる液浸リソグラフィ装置においては、比較的高い屈折率を有する液浸液（例えば水）を提供して、投影システムの最終要素と基板との間の空間を充填する。その要点は、露光放射は液浸液中の方が波長が短いので、結像するフィーチャの小型化を可能にすることである。液浸液の効果は、システムの有効開口数（ＮＡ）を大きくすること、及び焦点深度を大きくすることであるとも考えられる。
【０００５】
[0005]  感光性材料は、例えばスピンコーティングのような任意の方法で基板に適用することができる。これは、照射対象の基板の表面に液体の感光性材料を塗布することと、基板の軸を中心として基板を回転させて液体の感光性材料に遠心力を加えることと、を含む。この力によって感光性材料は基板の表面全体に広がり、基板上に薄い均一な層を形成する。しかしながら、回転プロセスの後、基板のエッジには比較的太い感光性材料リングが形成される可能性がある。同様に太いリングを生じ得る他の方法には、スプレーコーティング、ディップコーティング、インクジェット印刷等が含まれる。太いリングはエッジビード（ｅｄｇｅ  ｂｅａｄ）と呼ばれることが多い。エッジビードは、例えば基板ハンドリングによる交差汚染のために欠陥を引き起こす恐れがある。従って、リソグラフィ装置の歩留まり低下と可用性低下を招き得るエラーを低減するため、処理の前にエッジビードを除去することが望ましい。このため、例えばノズルを用いて基板のエッジの感光性材料を均一に取り除くことによって、基板のエッジにおける感光性材料を除去することができる。
【０００６】
[0006]  液浸リソグラフィ装置では、液体閉じ込め構造（流体ハンドリング構造、液浸フード、ノズル部材等）が、液浸液を液浸空間に閉じ込める。液浸空間に対して、基板の表面（この上に残りの感光性材料が位置している）を移動させる。基板の表面が液浸液に対して移動する際、基板の表面にばらつき又は凹凸があると、これがメニスカス釘付け特徴部として作用する場合がある。特に、従来のエッジビード除去プロセス後の基板の表面及び／又は基板の表面上に残っている感光性材料のエッジは、液浸液が感光性材料のエッジの上を通り過ぎる際にメニスカス釘付け特徴部として作用し得る。これが意味するのは、基板及び／又は感光性材料のエッジが液浸閉じ込め構造から遠ざかる際に、基板の表面と液体閉じ込め構造との間の液浸液のメニスカスが引き伸ばされるということである。基板及び／又は感光性材料のエッジが特定の距離を移動した後、メニスカスは最終的に破壊し、基板の表面上に液浸液が残るので、例えばウォーターマーク（ｗａｔｅｒｍａｒｋ）のような欠陥を引き起こし得る液滴が基板上に生じる。このように、残っている液滴は、歩留まりを低下させる可能性のあるエラーを感光性材料の表面上で発生させる恐れがある。
【発明の概要】
【０００７】
[0007]  本発明の目的は、基板表面上の感光性材料層のエッジに由来する水損失の結果として生じる、例えばウォーターマーク形成のような欠陥を回避又は低減することである。
【０００８】
[0008]  本発明において、基板を処理する方法が提供される。この方法は、基板の表面上に感光性材料層を有する基板を提供することと、感光性材料層の外縁から感光性材料を除去することと、基板の表面上に残っている感光性材料層に、半径方向の幅を有するエッジを生成するように除去を制御することと、を含む。感光性材料は、厚さが変動することにより半径方向の幅における厚さプロファイルを形成し、除去は、エッジの長さに沿った厚さプロファイルの変動を生成するように制御される。
【０００９】
[0009]  本発明において、基板を処理するための装置が提供される。この装置は、表面上に感光性材料層を含む基板を支持するように構成された基板サポートシステムと、感光性材料層の外縁から感光性材料を除去するように構成された基板エッジ処理ユニットと、を備える。基板エッジ処理ユニットは、感光性材料を除去する場合に基板の表面上に残っている感光性材料層に、半径方向の幅を有するエッジを生成するように構成され、感光性材料は、厚さが変動することにより半径方向の幅における厚さプロファイルを形成し、基板エッジ処理ユニットは、エッジの長さに沿った厚さプロファイルの変動を制御するよう除去を制御するように構成されている。
【００１０】
[0010]  本発明において、本明細書の実施形態の任意のものに記載されているパターニング装置を備えたリソグラフィ装置が提供される。
【００１１】
[0011]  本発明の別の特徴及び利点並びに本発明の様々な実施形態の構造及び作用は、添付の図面を参照して以下に詳細に説明する。本発明は、本明細書に記載する特定の実施形態に限定されないことに留意されたい。このような実施形態は、例示のみを目的として本明細書に記載されている。本明細書に含まれる教示に基づいて当業者は更なる実施形態を容易に思いつくであろう。
【図面の簡単な説明】
【００１２】
[0012]  本明細書に組み込まれ、その一部を形成する添付の図面は本発明を図示し、説明と共に、更に本発明の原理を説明し、当業者が本発明を作成して使用できるようにする働きをする。
【００１３】
【図１】[0013]  基板サポートに保持された基板の側面の概略図である。
【図２】[0014]  エッジビードが除去された基板の一部の側面の概略図である。
【図３Ａ】[0015]  図２と同様にエッジビードが除去された基板上に堆積されている液滴のクローズアップ図を断面で示す。
【図３Ｂ】[0015]  図２と同様にエッジビードが除去された基板上に堆積されている液滴のクローズアップ図を断面で示す。
【図３Ｃ】[0015]  図２と同様にエッジビードが除去された基板上に堆積されている液滴のクローズアップ図を断面で示す。
【図３Ｄ】[0015]  図２と同様にエッジビードが除去された基板上に堆積されている液滴のクローズアップ図を断面で示す。
【図４Ａ】[0016]  図２における残りの感光性材料層のエッジのクローズアップ図である。
【図４Ｂ】[0017]  実施形態に従って生成された残りの感光性材料層のエッジのクローズアップ図である。
【図４Ｃ】[0017]  実施形態に従って生成された残りの感光性材料層のエッジのクローズアップ図である。
【図４Ｄ】[0017]  実施形態に従って生成された残りの感光性材料層のエッジのクローズアップ図である。
【図４Ｅ】[0017]  実施形態に従って生成された残りの感光性材料層のエッジのクローズアップ図である。
【図５】[0018]  一実施形態に従った基板の一部及びノズルの側面の概略図である。
【図６】[0019]  一実施形態に従った基板の一部及びノズルの側面の概略図である。
【図７】[0020]  バリアが提供されている、一実施形態に従った基板の一部及びノズルの側面の概略図である。
【図８】[0021]  バリアが提供されている、一実施形態に従った基板の一部及びノズルの側面の概略図である。
【図９】[0022]  一実施形態に従った基板の一部及びレーザの側面の概略図である。
【図１０】[0023]  一実施形態に従った基板の一部及びレーザの側面の概略図である。
【図１１Ａ】[0024]  パターニングデバイスが提供されている、一実施形態に従った基板の一部及びレーザの側面の概略図である。
【図１１Ｂ】[0024]  基板及びパターニングデバイスの平面の概略図である。
【図１２Ａ】[0025]  パターニングデバイスが提供されている、一実施形態に従った基板の一部及びレーザの側面の概略図である。
【図１２Ｂ】[0025]  基板及びパターニングデバイスの平面の概略図である。
【図１３Ａ】[0026]  パターニングデバイスが提供されている、一実施形態に従った基板の一部及びレーザの側面の概略図である。
【図１３Ｂ】[0026]  基板及びパターニングデバイスの平面の概略図である。
【図１４】[0027]  一実施形態に従った基板の一部及びプラズマデバイスの側面の概略図である。
【図１５】[0028]  一実施形態に従った基板の一部及びプラズマデバイスの側面の概略図である。
【図１６Ａ】[0029]  パターニングデバイスが提供されている、一実施形態に従った基板の一部及びプラズマデバイスの側面の概略図である。
【図１６Ｂ】[0029]  基板及びパターニングデバイスの平面の概略図である。
【図１７】[0030]  一実施形態に従った基板の一部及びプラズマデバイスの側面の概略図である。
【図１８】[0031]  一実施形態に従った装置の概略図である。
【００１４】
[0032]  図は概略図であり、縮尺通りに描かれていない。図の多くのものは記載されるフィーチャ及びコンポーネントの一部を示すだけであり、例えばこれらのフィーチャ及びコンポーネントは図中の波線又は点線の方向に延出し得る。開示される実施形態の特徴及び利点は、全体を通して同様の参照符号が対応する要素を識別している図に関連付けて以下に述べる詳細な説明を読むことから、いっそう明らかとなろう。
【発明を実施するための形態】
【００１５】
[0033]  図１に示されているように、上記のような基板Ｗは、基板Ｗの表面上に感光性材料層５が提供されている。感光性材料層５は任意の方法で提供すればよい。方法は、上述のように、基板Ｗの表面上に液体感光性材料を提供することと、基板Ｗを回転させて液体感光性材料を広げることと、を含み得る。図１に示されているように、基板Ｗのエッジにエッジビード６が形成される可能性がある。エッジビード６は、残りの感光性材料層５に対して非均一であり得る。エッジビード６は、図１に示されているように、基板Ｗの外縁を覆うように位置すると共に、基板Ｗの他方側の基板Ｗの表面の外縁上に存在する場合がある。あるいは、方法は、基板Ｗの表面上にすでに感光性材料層５を備えている基板Ｗを提供することを含み得る。図１に示す基板Ｗは、基板サポート７によって支持されているものとして図示している。基板サポート７は任意選択的であるが、必要に応じて、基板Ｗの移動すなわち平行移動及び回転を制御するため使用することができる。
【００１６】
[0034]  上述のように、感光性材料層５の外縁の感光性材料を除去してエッジビード６を除去することにより、感光性材料層５をいっそう均一にすることができる。しかしながら、感光性材料層５のエッジビード６を除去する既知の方法では、基板Ｗの表面上に残っている感光性材料層５に、形の整ったエッジが与えられる。図２に示されているように、基板Ｗの表面上に残っている感光性材料層５のエッジはシャープな段差である。既知の方法及び装置を用いると、シャープな段差は基板Ｗの円周において均一である。言い換えれば、この段差は円周方向で実質的に均一である。従って、基板Ｗの表面上に残っている感光性材料層５のエッジの段差は、上述のように液浸液が基板Ｗの上を通り過ぎる際に液浸液を釘付けする（ｐｉｎ）可能性がある。これは膜引張り（ｆｉｌｍ  ｐｕｌｌｉｎｇ）として既知である場合がある。これによって、基板Ｗの表面上に液滴が生じ、上述のようなウォーターマーク等の欠陥が発生する恐れがある。
【００１７】
[0035]  図３Ａから図３Ｄは、感光性材料層５のエッジが液体閉じ込め構造ＩＨの下を通る際、膜引張りに起因してどのように水損失が発生するかを示している。図３Ａから図３Ｄ及び図４Ａから図４Ｅは、基板Ｗの上にある感光性材料層５のエッジを示す。基板Ｗの上にある感光性材料層５及び基板Ｗの一部のみが示されている。これらの図は例示を意図しており、縮尺通りではない。感光性材料層５は図３Ａから図４Ｅのいずれにおいても右側へ延出し、基板Ｗは図３Ａから図４Ｅのいずれにおいても波線よりも遠くへ（すなわち右側へ又は下方へ）延出し得る。
【００１８】
[0036]  図３Ａに示されているように、液体閉じ込め構造ＩＨは液浸液ＩＬを液浸空間に閉じ込める。液体閉じ込め構造ＩＨに対して感光性材料層５を移動させる。液浸液ＩＬの側面はメニスカスＭによって画定されている。メニスカスＭは、液体閉じ込め構造ＩＨと基板Ｗ及び／又は感光性材料層５との間に延出している液浸液ＩＬの表面である。メニスカスＭの形状及び曲率は表面張力によって影響を受ける。メニスカスＭの形状は、液体閉じ込め構造ＩＨと基板Ｗ及び／又は感光性材料層５との間の相対的な移動の方向及び速度に応じて変化する。
【００１９】
[0037]  図３Ａから図３Ｄは、感光性材料層５の直径方向における液体閉じ込め構造ＩＨの相対的な移動を示している。一般に、液体閉じ込め構造ＩＨは静止状態であり、液体閉じ込め構造ＩＨに対して基板Ｗを移動させる。しかしながら、例示の目的のため、記載全体を通して基板Ｗに対する液体閉じ込め構造ＩＨの移動について記載する。図３Ａから図３Ｄは時間的な順序を表している。液体閉じ込め構造ＩＨは図３Ａから図３Ｄにおいて左側から右側へ、すなわち感光性材料層５の表面上を基板Ｗのエッジから離れる方向へ動いている。
【００２０】
[0038]  図３Ａにおいて、液体閉じ込め構造ＩＨは右側へ移動中である。メニスカスＭの底部は感光性材料層５のエッジにある。図３Ｂに示されているように、液体閉じ込め構造ＩＨが引き続き感光性材料層５のエッジから離れる方へ移動した場合、メニスカスＭは感光性材料層５のエッジと接触した状態を維持している。言い換えれば、メニスカスＭは感光性材料層５のエッジに釘付けされている。
【００２１】
[0039]  図３Ｂに示されているように、液体閉じ込め構造ＩＨが進み続けると、メニスカスＭは引き伸ばされる。図３Ｃは、メニスカスＭが更に遠くまで引き伸ばされたために破壊点ＢＰで破壊する状況を示している。この時点で、メニスカスＭは感光性材料層５のエッジに釘付けされたままである。図３Ｄは、破壊点ＢＰで破壊したメニスカスＭの効果を示している。具体的には、メニスカスＭが破壊すると、液浸液ＩＬの液滴８が感光性材料層５上に堆積する。これらの液滴は感光性材料層５の表面上での水損失に相当し、例えばウォーターマークのような欠陥を招く可能性がある。「欠陥」という用語は、本明細書で用いる場合、基板Ｗの表面上の様々な異なる欠陥を含む。例えばこの用語は、以下の記載において特にウォーターマーク欠陥を意味することがある。
【００２２】
[0040]  図３Ａから図３Ｄにおいて、メニスカスＭは感光性材料層５のエッジに接触点を有するものとして示されているが、これは例示に過ぎない。メニスカスＭは、基板Ｗの露出表面上に接触点を有することも可能である。このメニスカスＭは上述したものと同様に破壊し得るが、釘付けは感光性材料層５のエッジではなく基板Ｗの表面上で生じる。
【００２３】
[0041]  本発明は、感光性材料層５の表面上の欠陥を軽減又は回避するように基板Ｗを処理する方法を提供する。この方法は、例えば図１に示されているように、基板Ｗの表面上に感光性材料層５を備えた基板Ｗを提供することを含む。この方法は更に、感光性材料層５の外縁から感光性材料を除去することを含む。言い換えれば、基板Ｗの表面上の感光性材料層５の外縁を除去する。
【００２４】
[0042]  この方法は、基板Ｗの表面上に残っている感光性材料層５に、半径方向の幅を有するエッジを生成するように除去を制御することを含む。この場合、感光性材料は、厚さが変動することにより半径方向の幅における厚さプロファイルを形成し、更に、エッジの長さに沿った厚さプロファイルの変動を生成するように除去が制御される。言い換えれば、感光性材料層５のエッジの厚さプロファイルには、円周方向で変化する変動がある。
【００２５】
[0043]  これに加えて又はこの代わりに、この方法は、基板Ｗの表面上に残っている感光性材料層５に粗いエッジ（ｒｏｕｇｈ  ｅｄｇｅ）を生成するように除去を制御することを含む。粗いエッジは、上述のような円周方向の厚さプロファイルの変動を有することができる。あるいは、粗いエッジは、粗い厚さプロファイル（すなわち、半径方向の幅ＲＷにおける）を有し得るが、基板Ｗの表面上に残っている感光性材料層５のエッジにおいて実質的に均一とすることができる。言い換えれば、エッジは、残りの感光性材料層５のエッジにおいて一定である粗い厚さプロファイルを有し得る。粗い厚さプロファイル、すなわち半径方向のラフネスを有するとは、厚さプロファイルが少なくとも１つの大きい突起、又は好ましくはより多くの突起を有するように見えることを意味する、及び／又は厚さプロファイルの勾配が複数回切り換わることを意味する、及び／又は厚さが実質的に一定に変化する勾配を有することを意味する、及び／又は厚さプロファイルが円滑でないことである可能性がある。
【００２６】
[0044]  上述のようなエッジの生成は、感光性材料のエッジにおける釘付け機構を変化させ、従って上述のように基板Ｗの表面上に残される液滴の大きさ及び／又は数を低減させるはずである。
【００２７】
[0045]  前述のように、エッジは円周方向において非均一とすることができる。言い換えれば、エッジの様々な位置においてエッジの半径方向の幅の断面を見た場合、厚さは様々に異なっている。従って、エッジの断面で見た場合のエッジの形状は、円周方向において変動する。この変動は均一であるか又は非均一であり得る。変動にはパターンを付けることができる、すなわち平面で見た場合にパターンを形成できる。一実施形態において、変動は均一であり、エッジは平面視で繰り返しパターンを有する段差エッジとすることができる。例えばパターンは、正弦波、三角波、方形波、又は矩形波の形状であり得る。パターンの形状は特に限定されない。一実施形態において、変動は非均一であり、例えばエッジは、平面視で繰り返しでない非均一パターンを有する段差エッジとすることができる。従ってパターンは、概ね正弦波、三角波、方形波、及び／又は矩形波を有し得るが、エッジの長さに沿って振幅及び／又は波長の非均一な変動を有し得る。一実施形態において、エッジは非均一であり、粗いエッジであり得る。
【００２８】
[0046]  一実施形態において、エッジは粗いエッジである。残りの感光性材料層５に粗いエッジを提供することは、エッジがもはや段差形状でないことを意味する。粗いエッジのラフネスをマイクロラフネス（ｍｉｃｒｏ−ｒｏｕｇｈｎｅｓｓ）と呼ぶことがある。粗いエッジは、交互の局所構造、すなわち、円周方向及び半径方向の接触角／高さの変動を伴う非均一構造を有する。これは、アジマス及び／又は半径方向のラフネスを変化させるように粗いエッジが制御されていることを意味する。感光性材料層５に粗いエッジを提供すると、感光性材料層５のエッジの釘付け効果が変化するので、膜引張りが低減し、これにより水損失が低減し、従って基板Ｗの表面上の欠陥を低減又は回避することができる。上述のように、粗いエッジは円周方向で均一にすることができ、従って、基板Ｗの表面上に残っている感光性材料層５のエッジのほぼ全周において同一の厚さプロファイルを有し得る。あるいは、すでに述べたように、粗いエッジは円周方向で非均一にすることができる。粗いエッジは、半径方向において（すなわち、後述のように半径方向の幅ＲＷにおける厚さプロファイル）及び／又は円周方向において（すなわち、エッジの長さに沿って）粗いものとして規定され得る。
【００２９】
[0047]  粗いエッジは、図２及び図４Ａ〜図４Ｃに示されているシャープな垂直エッジでなく、図４Ｄ及び図４Ｅに示されているような半径方向の幅ＲＷを有し得る。言い換えれば、半径方向の幅ＲＷは、半径方向（すなわち図４Ａ〜図４Ｅに示されているｘ方向）の長さであり得る。図４Ａから図４Ｅは、エッジの様々なポイントにおけるエッジのあり得る厚さプロファイルの例である。図４Ｄ及び図４Ｅは粗いエッジについてあり得る厚さプロファイルを示す。（図４Ｂ及び図４Ｃについては以下で詳しく記載する。）感光性材料の厚さは、半径方向の幅ＲＷ（すなわち半径方向の長さ）にわたって非均一に変化し得る。このため、厚さは、エッジのあるポイントでは図４Ｄに示されている厚さプロファイルと同様であり得るが、エッジの別のポイントでは図４Ｅに示されている厚さプロファイルと同様であり得る。あるいは、厚さプロファイルはエッジの長さに沿って均一である場合もある。図４Ｄ及び図４Ｅに示されているように、粗いエッジは、粗いエッジの半径方向の幅ＲＷにわたってｚ方向における非均一の変動を有し得る。この変動は、半径方向（すなわち、図４Ｄ及び図４Ｅのｘ方向）において、及び／又は円周方向（すなわち、図４Ｄと図４Ｅとの相違によって示されるｘ方向及びｚ方向の双方に直交した方向）において、非均一であり得る。
【００３０】
[0048]  粗いエッジは、厚さが実質的にゼロから基板Ｗの表面上の残りの感光性材料層５と実質的に同じ厚さまで増大する漸進的なエッジであり得る。あるいは、粗いエッジは、基板Ｗ上の感光性材料の厚さが残りの感光性材料層５の厚さの２０％以上である場合に開始すると見なすことができる。あるいは、粗いエッジは、厚さが基板Ｗのエッジから増大する漸進的なエッジであり得る。粗いエッジは、エッジの半径方向の幅ＲＷにおいて非均一であり、厚さが非均一に増大し得る。
【００３１】
[0049]  粗いエッジは、感光性材料層５の厚さ（すなわち、図４Ｄ及び図４Ｅにおけるｚ方向の距離）と粗いエッジの半径方向の幅ＲＷとの平均比を有し得る。半径方向の幅ＲＷは、半径方向における粗いエッジの半径方向の長さである。半径方向の幅ＲＷは、基板Ｗの表面上で感光性材料を見出せる半径方向経路に沿った最も半径方向外側のポイントＯから、残りの感光性材料層５が実質的に平坦となる開始点である残りの感光性材料層５上のポイントＦまでと決定することができる。残りの感光性材料層５が実質的に平坦であると見なせるのは、残りの感光性材料層５の表面の変動が表面厚さのほぼ１％以下である場合である。これが実質的に平坦である場合、すなわち図４Ａに示されているような場合、厚さ（図４Ａ〜図４Ｅにおけるｚ方向の距離）は、残りの感光性材料層５の平均厚さであると決定できる。一実施形態において、平均比は少なくとも約０．２５×１０−３以上、又は好ましくは１×１０−３超、又は更に好ましくは１．７×１０−３超であり得る。一実施形態において、この比は少なくとも０．１５以下、又は好ましくは３０×１０−３未満、又は更に好ましくは１５×１０−３未満であり得る。
【００３２】
[0050]  図４Ｄ及び図４Ｅには示されていないが、粗いエッジの少なくとも一部は、残りの感光性材料層５よりも大きい高さ（図におけるＺ方向）を有し得る。これは、残りのステップの間、特に、例えば以下で説明するように流体（例えば溶剤）が使用される場合、感光性材料が再堆積されることが理由であり得る。言い換えれば、半径方向の幅ＲＷにおける粗いエッジの厚さは、例えばポイントＦにおいて、残りの感光性材料層５の厚さよりも大きい場合がある。
【００３３】
[0051]  一実施形態において、感光性材料層５の外縁から感光性材料を除去することは、感光性材料層５の外縁の感光性材料層５に流体をスプレーすることを含む。この実施形態において、流体は、本明細書で溶剤１５と称される液体溶剤である。溶剤１５は感光性材料用の溶剤である。すなわち、溶剤１５は感光性材料を溶解する。溶剤１５はノズルを用いてスプレーすることができる。この方法は、粗いエッジを生成するように溶剤１５をスプレーする場合にノズルを振動させることを含み得る。言い換えれば、ノズルは規則的に前後に移動され得る。ノズルを振動ノズル１０と呼ぶことができる。振動ノズル１０の振動を制御するため、コントローラ１１を提供することができる。一実施形態において、このように振動ノズル１０を振動させると、粗いエッジが粗い波形管エッジと似たものになるように感光性材料層５のエッジを円周方向に変調する（ｍｏｄｕｌａｔｅ）ことができる。
【００３４】
[0052]  振動ノズル１０は、平面視において基板Ｗ及び／又は感光性材料層５の上方で前後に振動させ得る。すなわち、振動ノズル１０は概ね、振動している間は基板Ｗ及び／又は感光性材料層５の上方に位置決めされ得る。これは、振動ノズル１０が振動中は常に基板Ｗ及び／又は感光性材料層５の上方にあることを意味し得る。振動ノズル１０の前後の動きは図５において矢印で示されている。一実施形態において、この方法は、振動ノズル１０を実質的に半径方向に振動させることを含む。振動が発生している間に基板Ｗは回転し得るので、振動ノズル１０と基板Ｗの表面との相対的な移動は平面視で円形又はらせん形の経路を形成するように見える場合がある。
【００３５】
[0053]  上記の実施形態の任意のものにおいて、振動ノズル１０は連続的に振動している。すなわち、振動ノズル１０は基板Ｗの上方で連続的に前後に移動する。これは、溶剤１５がスプレーされている間は振動ノズル１０が連続的に振動していることを意味し得る。
【００３６】
[0054]  上記の実施形態の任意のものにおいて、この方法は、感光性材料の少なくとも１つの特性に応じて振動ノズル１０の振動の周波数及び／又は振幅を制御することを含む。振動の周波数及び／又は振幅を制御すると、基板Ｗの表面上に残っている感光性材料層５に生成される粗いエッジの特徴を変化させることができる。例えば、振動ノズル１０の振動の周波数及び／又は振幅によって、粗いエッジのフィーチャのピッチ及び深さを変化させる、すなわち、エッジが非均一な構造を有するように構造を変化させることができる。非均一な構造は、円周方向及び半径方向の接触角／高さの変動を有し得る。このように、振動ノズル１０の振動のこれらの特徴を制御することは、粗いエッジの特性に影響を与え得るので、粗いエッジの効果を考慮に入れるように、例えば、欠陥の発生を低減又は回避するため基板Ｗ上に生じる欠陥及び／又は水損失を考慮に入れるように制御することができる。このように、振動ノズル１０の振動のこれらの特徴を制御することは、少なくとも１つのセンサ及び／又はプロセッサからの何らかのフィードバックに基づいて制御され得る。
【００３７】
[0055]  一実施形態において、基板Ｗ上に生じた欠陥及び／又は水損失の指示を与えることができる。例えば測定ユニット８０は、リソグラフィ装置における基板Ｗの露光後に、基板Ｗ上に生じた欠陥及び／又は水損失を検出及び／又は測定し、基板Ｗ上に生じた欠陥及び／又は水損失の指示を与えることができる。あるいは測定ユニット８０は、エッジのプロファイルを測定して、基板Ｗ上に生じる欠陥及び／又は水損失の指示を決定／予測することができる。測定ユニット８０は、オフラインで（すなわち露光後に）使用され、テスト基板Ｗのみを使用する場合がある。測定ユニット８０は、上述の実施形態の任意のものにおいて使用される装置の外部にある可能性があり、例えば測定ユニット８０はリソグラフィ装置の一部であり得る。一実施形態において、測定ユニット８０は、制御信号をコントローラ１１に送信するか又は制御信号をコントローラ１１から受信することができる。図５において、測定ユニット８０は、上述した実施形態と通信を行い得る外部ユニットとして図示されている。測定ユニット８０は、図６から図９のいずれかに示されている実施形態と通信を行うように提供できるか、又は図５に示されている実施形態と通信を行うように提供されない場合がある。
【００３８】
[0056]  振動ノズル１０に変更が必要であると決定される場合がある。例えば、振動ノズル１０によってスプレーされている溶剤１５の振幅、周波数、及び／又は流量が変更され得る。コントローラ１１を用いて必要な変更を決定し、振動ノズル１０の特徴を変更することができる。あるいは、コントローラ１１は、振動ノズル１０を制御するための変更を示す入力を測定ユニット８０から受信することができる。基板Ｗ上に生じる欠陥及び／又は水損失に対してこの変更が及ぼす効果の指示を、例えば上述の測定ユニット８０によって与えて、更に変更が望ましいか否かを決定することができる。
【００３９】
[0057]  一実施形態において、振動ノズル１０の振動の周波数を制御することは、周波数を所定の周波数範囲内で制御することを含む。振動ノズル１０の振動を所定の範囲内で制御すると、粗いエッジの波長を制御することができる。すなわち、振動の周波数を変化させて粗いエッジの波長を変調／調整することができる。粗いエッジは、エッジに沿ったいわゆるフィーチャで形成され得る。例えばフィーチャは、エッジに沿って形成された実質的な渦構造のような構造であり得る。粗いエッジの波長は、２つのいわゆるフィーチャ間の距離、例えばエッジに沿った２つの比較的大きい渦構造間の距離であり得る。このため、平均波長は、１つの比較的大きい渦構造の中央から次の比較的大きい渦構造の中央までの円周方向の平均距離であり得る。従って、粗いエッジの形状は、振動ノズル１０の振動の周波数を制御することによって変化させると共に制御することができる。これにより、振動の周波数を制御して、残りの感光性材料層５のエッジに起因して生じる欠陥を低減又は回避することが可能となる。一実施形態において、周波数はほぼ約５００ｋＨｚ以下、又は好ましくは約１００ｋＨｚ以下、又は更に好ましくは約５０ｋＨｚ以下である。一実施形態において、周波数はほぼ約５００Ｈｚ以上、又は好ましくは約１ｋＨｚ以上、又は更に好ましくは約１０ｋＨｚ以上である。
【００４０】
[0058]  一実施形態において、振動ノズル１０の振動の周波数は、典型的な波長が約２ｍｍ以下、又は好ましくは約０．５ｍｍ以下、又は更に好ましくは約０．３ｍｍ以下であるように制御される。典型的な波長は平均波長とすることができる。一実施形態において、振動ノズル１０の振動の周波数は、典型的な波長が約１０μｍ以上、又は好ましくは約５０μｍ以上、又は更に好ましくは約０．１ｍｍ以上であるように制御される。振動の周波数を制御して、これらの値、特に好ましい値及び更に好ましい値の波長を有する粗いエッジを生成すると、残りの感光性材料層５のエッジに起因する欠陥を低減又は回避することができる。
【００４１】
[0059]  一実施形態において、この方法は、ノズル１０の振動の振幅を所定の振幅範囲内で制御して粗いエッジの半径方向の幅ＲＷを制御することを含む。振動ノズル１０の振幅を所定範囲内で制御すると、粗いエッジの半径方向の幅ＲＷを制御することができる。すなわち、振動の振幅を変化させて粗いエッジの半径方向の幅を変調／調整することができる。従って、粗いエッジの形状は、振動ノズル１０の振動の振幅を制御することによって変化させると共に制御することができる。これにより、振動ノズル１０の振動の振幅を制御して、残りの感光性材料層５のエッジに起因する欠陥を低減又は回避することが可能となる。
【００４２】
[0060]  一実施形態において、振動ノズル１０の振動の振幅は、半径方向の幅ＲＷが約２ｍｍ以下、又は好ましくは約０．５ｍｍ以下、又は更に好ましくは約０．３ｍｍ以下であるように制御される。一実施形態において、振動ノズル１０の振動の振幅は、半径方向の幅ＲＷが約１０μｍ以上、又は好ましくは約５０μｍ以上、又は更に好ましくは約０．１ｍｍ以上であるように制御される。振動の振幅を制御して、これらの値、特に好ましい値及び更に好ましい値の半径方向の幅ＲＷを有する粗いエッジを生成すると、上述のような欠陥を低減又は回避することができる。
【００４３】
[0061]  一実施形態において、振動ノズル１０の振動の振幅はほぼ約２ｍｍ以下、又は好ましくは約０．５ｍｍ以下、又は更に好ましくは約０．３ｍｍ以下である。一実施形態において、振動ノズル１０の振動の振幅はほぼ約１０μｍ以上、又は好ましくは約５０μｍ以上、又は更に好ましくは約０．１ｍｍ以上である。
【００４４】
[0062]  上記の実施形態の任意のものにおいて、振動ノズル１０は他の場合にはエッジビード除去ノズルと呼ばれることがある。
【００４５】
[0063]  一実施形態において、この方法は、振動ノズル１０を所定の周波数で振動させることを含む。この方法は更に、基板Ｗを第１の周波数で回転させることと、振動ノズル１０を第２の周波数で振動させることと、を含み得る。基板Ｗを第１の周波数で回転させることは、基板Ｗを基板サポート７上に提供することと、基板Ｗの軸を中心とした基板サポート７の回転を制御することと、を含み得る。この方法は、毎分数百又は数千回転で基板Ｗを回転させることを含み得る。第２の周波数は第１の周波数よりも高くすることができる。第２の周波数は第１の周波数よりも大幅に高くすることができる。この文脈において、大幅に高いとは、第２の周波数が第１の周波数よりも少なくとも１０倍高いこと、又は第２の周波数が第１の周波数よりも少なくとも１００倍高いこと、又は第２の周波数が第１の周波数よりも少なくとも１０００倍高いことを意味し得る。
【００４６】
[0064]  代替的な実施形態において、感光性材料層５の外縁から感光性材料を除去することは、感光性材料層５の外縁の感光性材料を除去する初期除去ステップと、粗いエッジを生成するように、ノズル２０から流体をスプレーして残りの感光性材料層５の周りから更に感光性材料を除去する別のステップと、を含み得る。流体は、本明細書において溶剤２５と称される液体溶剤とすればよい。溶剤２５は感光性材料用の溶剤である。すなわち、溶剤２５は感光性材料を溶解する。この実施形態において、第１のステップは、例えばエッジ除去ノズルの使用、又は上記の実施形態のいずれかに記載されるような振動ノズル１０の使用等、多種多様な方法によって実行され得る。しかしながらこの実施形態では、粗いエッジは、ノズル２０から溶剤２５をスプレーして残りの感光性材料層５の周りから更に感光性材料を除去することによって生成及び制御される。このステップは図６に示されている。初期除去ステップは、図２、図４Ａ、図６、図７、及び図８に示されているように、基板Ｗの表面上に粗いエッジなしの残りの感光性材料層５を生じ得るいずれかの既知の方法を用いて実行できる。従って、ノズル２０から溶剤２５をスプレーして残りの感光性材料層５の周りから更に感光性材料を除去するステップは、粗いエッジを生成するように除去の一部として提供される。ノズル２０からの溶剤２５のスプレーを制御するため、コントローラ２１を提供することができる。
【００４７】
[0065]  粗いエッジは、上記の実施形態のいずれかに記載されるように、すなわち半径方向及び／又は円周方向において、非均一な構造を有し得る。粗いエッジの非均一な構造は不安定な波長摂動を生じ、このためメニスカスＭはすばやく破壊するので、水損失が低減し、更には欠陥が低減する可能性がある。
【００４８】
[0066]  ノズル２０に関連する上記の実施形態の任意のものにおいて、この方法は、感光性材料の少なくとも１つの特性に応じてノズル２０から溶剤２５をスプレーするステップを制御することを含み得る。一実施形態では、溶剤２５のスプレー又はノズル２０からのスプレーの幅を、感光性材料の少なくとも１つの特性に応じて制御することができる。ノズル２０からの溶剤２５のスプレーを制御すると、基板Ｗの表面上に残っている感光性材料層５に生成される粗いエッジの特徴を変化させることができる。例えば、ノズル２０からのスプレーの幅及び／又は流量によって、粗いエッジのフィーチャのピッチ及び深さを変化させる、すなわち、エッジが非均一な構造を有するように構造を変化させることができる。非均一な構造は、円周方向及び半径方向の接触角／高さの変動を有し得る。このように、ノズル２０を制御することは、粗いエッジの特性に影響を与え得るので、粗いエッジの効果を考慮に入れるように、例えば、欠陥の発生を低減又は回避するため基板Ｗ上に生じる欠陥及び／又は水損失を考慮に入れるように制御することができる。このように、ノズル２０からのスプレー及びノズル２０の移動を制御することは、少なくとも１つのセンサ及び／又はプロセッサからの何らかのフィードバックに基づいて制御され得る。
【００４９】
[0067]  一実施形態において、基板Ｗ上に生じた欠陥及び／又は水損失の指示を与えることができる。基板上に生じた欠陥及び／又は水損失の指示は、例えば図６〜図９に示されている実施形態と共に、上述したような測定ユニット８０を用いて与えることができる。しかしながらこの実施形態では、測定ユニット８０は、制御信号をコントローラ２１に送信するか又は制御信号をコントローラ２１から受信することができる。上述のように測定ユニット８０から受信された指示を用いることから、ノズル２０に変更が必要であると決定される場合がある。例えば、ノズル２０によってスプレーされている溶剤２５の流量、及び／又はノズル２０の移動の速度、及び／又はスプレーの幅が変更され得る。コントローラ２１を用いて必要な変更を決定し、ノズル２０の特徴を変更することができる。あるいは、コントローラ２１は、ノズル２０を制御するための変更を示す入力を測定ユニット８０から受信することができる。基板Ｗに生じる欠陥及び／又は水損失に対してこの変更が及ぼす効果の指示を、例えば上述の測定ユニット８０によって与えて、更に変更が望ましいか否かを決定することができる。
【００５０】
[0068]  一実施形態において、この方法は、ノズル２０からスプレーされる溶剤２５のスプレーの幅を所定の範囲内で制御して、基板Ｗの表面上に残っている感光性材料層５の粗いエッジの半径方向の幅を制御することを含み得る。上述のように、感光性材料層５の粗いエッジのラフネス、例えば半径方向の幅ＲＷを制御することは、基板Ｗの表面上の欠陥に影響を与え得るので、上述のエラーを低減させるように制御することができる。
【００５１】
[0069]  一実施形態において、ノズル２０からの溶剤２５のスプレーの幅は、粗いエッジの半径方向の幅ＲＷが約３ｍｍ以下、又は好ましくは約２ｍｍ以下、又は更に好ましくは約０．５ｍｍ以下であるように制御される。一実施形態において、ノズル２０からの溶剤２５のスプレーの幅は、粗いエッジの半径方向の幅ＲＷが約０．０１ｍｍ以上、又は好ましくは約０．０５ｍｍ以上、又は更に好ましくは約０．１ｍｍ以上であるように制御される。ノズル２０から溶剤２５のスプレーの幅を制御して、これらの値、特に好ましい値及び更に好ましい値の半径方向の幅ＲＷを有する粗いエッジを生成すると、残りの感光性材料層５のエッジに起因する欠陥を低減又は回避することができる。
【００５２】
[0070]  一実施形態において、ノズル２０からの溶剤２５のスプレーの幅は、約３ｍｍ以下、又は好ましくは約２ｍｍ以下、又は更に好ましくは約０．５ｍｍ以下である。一実施形態において、ノズル２０からの溶剤２５のスプレーの幅は、約０．０１ｍｍ以上、又は好ましくは約０．０５ｍｍ以上、又は更に好ましくは約０．１ｍｍ以上である。これらの実施形態において、スプレーの幅は基板Ｗ上のスプレーの幅であり、言い換えれば、基板Ｗ上に入射するスプレーの幅とすることができる。
【００５３】
[0071]  一実施形態において、この方法は更に、図７又は図８に示されているバリアを提供することを含み得る。バリアは、感光性材料層５の一部を、ノズル２０によってスプレーされている溶剤２５から保護するため提供することができる。すなわち、バリアはシールドを形成し得る。スプレーされている溶剤２５は本質的に、基板Ｗの表面上に残っている感光性材料を溶解するので、ノズル２０からの追加溶剤によって影響を受ける基板Ｗの表面上の残りの感光性材料層５内の感光性材料の量を制御することが好ましい場合がある。従って、バリアを提供することにより、ノズル２０からの溶剤２５の塗布を、物質基板Ｗに残っている感光性材料層５の一部のみに限定することが可能となる。基板Ｗ／残りの感光性材料層５に対するバリアの位置決めによって、粗いエッジを更に制御することができる。言い換えれば、バリアを用いて、粗いエッジの内縁（すなわち、粗いエッジが終端し、残りの感光性材料層５の実質的に平坦な表面が開始する位置）を画定できる。このように、バリアを用いて半径方向の幅ＲＷを更に制御することができる。コントローラ２１を用いて、ノズル２０に加えてバリアも制御することができる。コントローラ２１は複数のサブ制御ユニットを含むことができ、例えば、ノズル２０を制御するための１つの制御ユニットと、バリアの位置決めを制御するための別の制御ユニットと、を含む。
【００５４】
[0072]  バリアは任意の形状を有することができ、特に限定されない。一実施形態において、バリアは平面視で直線を形成し得る。あるいは、一実施形態において、バリアは平面視で実質的に湾曲しているか又はＵ字形状としてもよい。あるいは、一実施形態においてバリアは平面視で実質的にＶ字形状としてもよい。湾曲形状、Ｕ字形状、又はＶ字形状のバリアはノズル２０を実質的に囲むように位置決めできるので、このようなバリアを提供することは特に有用であり得る。これは、バリアを使用することで溶剤２５のスプレーが残りの感光性材料層５上のどこに到達するかを正確に制御できることを意味する。
【００５５】
[0073]  一実施形態において、バリアは図７に示されているような物理的要素３０である。従って物理的要素３０は、溶剤２５が物理的要素３０の半径方向内側に進むのを物理的に阻止することができる。物理的要素３０に使用される材料は特に限定されず、適切である任意の材料とすればよい。物理的要素３０は剛性要素であり得る。物理的要素３０は、溶剤（例えば溶剤１５及び／又は溶剤２５）に対して耐性を有し得る。
【００５６】
[0074]  代替的な実施形態において、バリアは、別のノズル４０によって提供される流体ジェット４５とすることができる。流体ジェット４５に使用される流体は、感光性材料層５を形成するタイプの材料のための溶剤ではない。流体ジェット４５を含むバリアは図８に示されている。流体ジェット４５は、流体ジェット４５を形成する流体を高速で放出することによって提供できる。流体ジェット４５を含むバリアは、物理的要素３０を含むバリアと実質的に同じ効果を有し得る。流体ジェット４５を含むバリアは、残りの感光性材料層５に対して物理的要素３０よりも効果的な保護を与え得る。その理由は、流体ジェット４５が感光性材料の表面まで到達できるのに対し、物理的要素３０では概して物理的要素３０の端部と感光性材料層５との間に必然的にギャップが残るからである。これは、ノズル２０からの溶剤２５のスプレーの一部がこのギャップを通って、物理的要素３０の他方側で残りの感光性材料層５に影響を及ぼす可能性があることを意味する。
【００５７】
[0075]  本明細書に記載されるようなバリア（例えば上述のような物理的要素３０又は流体ジェット４５）は、振動ノズル１０と共に提供することができる。
【００５８】
[0076]  これに加えて又はこの代わりに、ノズル２０の位置を制御して、溶剤２５が基板Ｗに到達する際の溶剤２５の方向を制御することができる。この位置を制御して、感光性材料層５のどの部分に溶剤２５が影響を及ぼすかを制御することができる。この位置は、例えばノズル２０を傾けて溶剤２５のスプレーの方向を変えることによって制御され得る。例えば、これにより溶剤２５のスプレーの方向を半径方向外側に向けて、ノズル２０の半径方向内側で感光性材料層５に到達する溶剤２５の量を低減させ、これによって感光性材料層５の一部を保護することができる。溶剤１５を同様にスプレーするようにノズル１０を制御することができる。
【００５９】
[0077]  上記の実施形態の任意のものにおいて、スプレーするステップは、溶剤１５及び／又は溶剤２５である溶剤の液滴をスプレーすることを含み得る。上記の実施形態の任意のものにおいて、溶剤をスプレーするステップは、溶剤１５又は溶剤２５のいずれかである溶剤の液滴を含むエアロゾルをスプレーすることを含み得る。いずれにせよ、溶剤の液滴は、感光性材料の少なくとも１つの特性に応じて制御することができる。この方法は、ノズル２０からの溶剤２５の液滴の平均直径を所定の平均直径範囲内で制御して、基板Ｗの表面上に残っている感光性材料層５の外縁のラフネスを制御することを含み得る。一実施形態において、ノズル２０からの溶剤２５の液滴の平均直径は２００μｍ以下、又は好ましくは５０μｍ、又は更に好ましくは３０μｍである。一実施形態において、ノズル２０からの溶剤２５の液滴の平均直径は１ミクロン以上、又は好ましくは５μｍ、又は更に好ましくは１０μｍである。
【００６０】
[0078]  上記の実施形態の任意のものにおいて、溶剤１５及び／又は溶剤２５は有機溶剤とすることができる。上記の実施形態の任意のものにおいて、溶剤１５及び／又は溶剤２５は、プロピレングリコールモノメチルエーテル（ＰＧＭＥ）、プロピレングリコールモノメチルエーテルアセテート（ＰＧＭＥＡ又はＰＭＡ）、乳酸エチル、メチルエチルケトン（２−ブタノン）、シクロヘキサノン、γ−ブチロラクトン、ジイソアミルエーテル、４−メチルペンタン−２−オル、及び／又は乳酸エチルを含む（又はこれらから成る）ことができる。溶剤１５及び／又は溶剤２５は、これらの溶剤を含むか又はこれらの溶剤から成る任意の組み合わせを含み得る。一実施形態において、溶剤１５及び／又は溶剤２５は、５５％から６０％の乳酸エチル及び４０％から４５％のメチルエチルケトン（２−ブタノン）を含み得る。一実施形態において、溶剤１５及び／又は溶剤２５は、６０％から８０％のプロピレングリコールモノメチルエーテル及び２０％から４０％のプロピレングリコールモノメチルエーテルアセテートを含み得る。
【００６１】
[0079]  上記の実施形態の任意のものにおいて、ノズル１０又はノズル２０はソニックノズル（ｓｏｎｉｃ  ｎｏｚｚｌｅ）又は超音波ノズルとすることができる。この実施形態では、ノズル１０又はノズル２０は、例えば圧電変換器によって生成された高周波音波を用いて、液体ジェットに表面張力波を生成することができる。表面張力波の振幅が臨界振幅に達した場合、これらの波は高くなりすぎて自身を支えることができず、小さい液滴が各波の先端から落ちて霧化が生じる。従って、これらのノズルは他の場合には噴霧ノズル及び／又は噴霧マイクロスプレーノズルとして知られていることがある。上記の実施形態の任意のものにおいて、音波の周波数を制御して溶剤の液滴の大きさを制御すると共に変更することができる。
【００６２】
[0080]  上記の実施形態の任意のものにおいて、流体は溶剤であることに限定されず、別のタイプの液体であってもよい。この実施形態では、感光性材料を除去するため流体が感光性材料を機械的に破壊するように構成され得る点を除いて、ノズルは上記の実施形態のいずれに記載したようにも使用できる。従って流体は、感光性材料を除去するため充分な力が与えられる必要がある。感光性材料を機械的に破壊するように構成されたそのような流体を提供する詳細については、ＵＳ８，６４１，８３１Ｂ２号に提供されている。これは援用によりその全体が本願に含まれる。上記の実施形態の任意のものに記載された液体溶剤は、任意選択的に流体ジェットの形態である別の流体に取り換えてもよい。例えば化学物質を用いて感光性材料を溶解することを回避するため、感光性材料を機械的に破壊することが有利であり得る。流体はジェットとして、例えばガスジェット又は液体ジェットとして提供され得る。流体は、水を含む任意の適切な流体とすることができる。液体溶剤は液体ジェットとして使用できる。
【００６３】
[0081]  残りの感光性材料層５に粗いエッジを提供することは、エッジの厚さプロファイルが円周方向で均一でないこと、及び／又は半径方向の幅ＲＷにおける厚さプロファイルの変動が粗いこと、すなわちエッジが粗い厚さプロファイルを有することを意味する。一実施形態において、エッジはパターン付きエッジである。これが意味するのは、この方法が、エッジに沿って画定されたフィーチャを生成するように感光性材料の除去を制御することを含むということである。前述のように、パターンは均一又は非均一とすることができ、平面視においてある形状を形成する段差エッジによって形成され得る。平面視におけるパターンの形状は、規則的な繰り返し部分を含むという点で均一であり得る。あるいは、平面視におけるパターンの形状は、規則的な繰り返し部分を含まないという点で非均一であり得る。パターン付きエッジは、交互の局所構造、すなわち円周方向及び半径方向の接触角／高さの変動を伴う構造を有する。感光性材料層５にパターン付きエッジを提供すると、感光性材料層５のエッジの釘付け効果が変化するので、膜引張りが低減し、これにより水損失が低減し、従って基板Ｗの表面上の欠陥が低減又は回避される。
【００６４】
[0082]  図４Ｂ及び図４Ｃに示されているように、パターン付きエッジは段差エッジを有し得る。シャープな段差は図４Ａ、図４Ｂ、及び図４Ｃにおいて同様に見えるが、段差の半径方向の位置（すなわちｘ方向）は、図４Ｂ及び図４Ｃに関してはパターン付きエッジに沿って変動し、これに対して、従来技術におけるように図４Ａでは円周方向で実質的に一定である。図４Ｂは、段差が最も内側の位置Ｘ１という例示的な位置にある例を示している。図４Ｃは、段差が最も外側の位置Ｘ５にある例を示している。段差は、最も内側の段差と最も外側の段差との間の任意のポイント、例えば図４Ｃに点線で示されているようなＸ２、Ｘ３、及び／又はＸ４において生じ得る。ｘ方向の位置はエッジに沿って円周方向で変動するので、あるポイントでは段差はＸ２に位置するが、異なる円周方向位置では例えばＸ４のような他の任意の位置にあり得る。Ｘ１、Ｘ２、Ｘ３、Ｘ４、及びＸ５の具体例は単なる例であり、段差の半径方向の距離は様々に異なるので、図示されていない他のｘ方向位置にあり得ることは理解されよう。
【００６５】
[0083]  段差エッジの代わりに、例えば傾斜又は湾曲のような、基板Ｗの表面から実質的に平坦である感光性材料層５の表面までの円滑な遷移を用いてもよい。いずれにせよ、パターン付きエッジは、基板Ｗの表面上の最も外側のポイント（例えば図４ＣのＸ５）であって、ここよりも半径方向外側には感光性材料が実質的に存在しないポイントから、最も内側のポイント（例えば図４Ｂ及び図４ＣのＸ１）であって、ここよりも半径方向内側では感光性材料層５が実質的に均一の厚さである、すなわち一定の厚さであるポイントまで、半径方向の幅ＲＷを有する。言い換えれば、半径方向の幅ＲＷは、半径方向（すなわち図４Ｂ及び図４Ｃに示されているｘ方向）における、ある長さとすればよい。パターン付きエッジにおいて段差が生じる半径方向距離は、エッジのどのポイントが観察されるかに応じて変動する。
【００６６】
[0084]  半径方向の幅ＲＷは、半径方向におけるパターン付きエッジの半径方向長さである。半径方向の幅ＲＷは、基板Ｗの表面上で感光性材料の段差（すなわちシャープな増大）が存在する半径方向経路に沿った最も半径方向外側のポイント（例えば図４ＣのＸ５）であるポイントと、基板Ｗの表面上で感光性材料の段差（すなわちシャープな増大）が存在する最も半径方向内側のポイント（例えば図４Ｂ及び図４ＣのＸ１）であるポイントと、の間の半径方向の距離として決定できる。最も半径方向外側のシャープな段差（例えば図４ＣのＸ５）の半径方向外側には、実質的に感光性材料は存在しない。最も半径方向内側のシャープな段差（例えば図４Ｂ及び図４ＣのＸ１）の半径方向内側では、残りの感光性材料層５は実質的に平坦である。言い換えれば、半径方向の幅ＲＷは、最も外側の厚さ変化（実質的にゼロから、基板Ｗの表面上の残りの感光性材料層５と実質的に同じ厚さに達する）から、最も内側の厚さ変化（実質的にゼロから、基板Ｗの表面上の残りの感光性材料層５と実質的に同じ厚さに達する）までの、半径方向の距離とすることができる。
【００６７】
[0085]  残りの感光性材料層５の表面の変動が表面厚さの約１％以下である場合、残りの感光性材料層５は実質的に平坦であると見なすことができる。厚さ（すなわち、図４Ａから図４Ｅにおけるｚ方向の距離）は、実質的に平坦であると見なされる場合、すなわち図４Ａに示されているような場合、残りの感光性材料層５の平均厚さであると決定され得る。
【００６８】
[0086]  一実施形態において、感光性材料層５の外縁から感光性材料を除去することは、レーザからの放射を感光性材料層５の外縁の感光性材料に入射するように誘導することを含む。レーザから誘導された放射を用いる除去は、エッジの長さに沿った厚さプロファイルの変動を生成するように制御される。例えばこれによって、上述のような粗いエッジ又はパターン付きエッジを形成できる。
【００６９】
[0087]  あるいは、除去することは、感光性材料層５の外縁の感光性材料を除去するための初期除去ステップを含み、更に、エッジを生成するように、レーザからの放射を感光性材料に入射するよう誘導して残りの感光性材料層５の周りから更に感光性材料を除去することを含む。この実施形態において、初期ステップは、本明細書に記載されている実施形態の任意のものにおける方法を含む多種多様な方法によって実行され得る。初期除去ステップは、図２に示されているように、基板Ｗの表面上に上述したエッジなしの残りの感光性材料層５を生じ得るいずれかの既知の方法を用いて実行できる。従って、レーザからの誘導された放射を用いて更に感光性材料を除去することは、エッジの長さに沿った厚さプロファイルの変動を生成するように制御される。例えばこれによって、上述のような粗いエッジ又はパターン付きエッジを形成できる。
【００７０】
[0088]  感光性材料に入射した放射を用いて、感光性材料層５のエッジにおける感光性材料を蒸発させることができる。蒸発した感光性材料は次いで、例えば図９に示されている抽出器９３によって除去できる。抽出器９３は、除去された感光性材料を抽出するため、他の実施形態の任意のものと共に提供され得る。抽出器９３は、基板Ｗの周りから蒸発した感光性材料を除去するための他の手段と交換可能であり得る。
【００７１】
[0089]  放射を提供するために使用されるレーザのタイプは特に限定されない。放射は、以下に記載するように放射ビームとして提供される。実施形態の任意のものにおけるレーザは、ＣＯ２レーザ、Ｎｄ：ＹＡＧレーザ、周波数２倍化（ｆｒｅｑｕｅｎｃｙ−ｄｏｕｂｌｅｄ）又は周波数３倍化（ｆｒｅｑｕｅｎｃｙ−ｔｒｉｐｌｅｄ）Ｎｄ：ＹＡＧレーザ、エキシマレーザ、半導体ダイオードレーザ、又はダイオード励起固体レーザとすればよい。レーザによって提供される放射の波長は、除去対象の感光性材料の特性に適合させることができる。
【００７２】
[0090]  一実施形態においてこの方法は、レーザを用いて、感光性材料に入射する放射ビームを提供することを含む。この方法は、エッジの長さに沿って厚さプロファイルが変動するエッジを生成するように放射ビーム９５を振動させることを含み得る。レーザは、図９に示されているような振動レーザ９０と称することができる。言い換えれば、感光性材料に入射する放射は規則的に前後に移動され得る。これは光学的手段を用いて実行することができ、例えば、少なくとも１つの圧電アクチュエータを含む手段／システムによって移動され得る１つ以上のミラーを用いて放射ビーム９５を表面に誘導することができるか、又は、ミラーは所望のように基板Ｗ及び／又は感光性材料層５の領域上で放射ビーム９５をスキャンすることができる。あるいは、放射ビーム９５を光ファイバに結合して基板Ｗの方へ導き、光ファイバ、任意選択的に関連付けられた光学合焦要素、及び基板Ｗを相互に移動させることも可能である。光ファイバは、例えば圧電アクチュエータのような１つ以上のアクチュエータによって制御され得る。レーザビームと基板Ｗを相互に移動させるため、機械システム又は光学システムを任意の適切な方法で組み合わせてもよい。放射ビーム９５の振動を制御するため、コントローラ９１を提供することができる。一実施形態では、このように放射ビーム９５を振動させると、感光性材料層５のエッジを円周方向に変調することができる。例えば、放射ビーム９５を振動させることで、エッジの形状が上述のような正弦波、三角波、方形波、又は矩形波と同様になるようにパターン付きエッジを形成できる。振動レーザ９０の使用は、上述のような振動ノズル１０の使用と同じ利点を有し得る。振動レーザ９０は、パターン付きエッジを生成できることに関連した追加の利点を有し得る。
【００７３】
[0091]  放射ビーム９５は、平面視において基板Ｗ及び／又は感光性材料層５上で前後に振動させ得る。放射ビーム９５の前後の動きは図９において矢印で示されている。これは、放射ビーム９５の振動中は常に振動レーザ９０が基板Ｗ及び／又は感光性材料層５の上方にあることを意味し得るか、又は、振動レーザ９０が他の場所（図示せず）に位置すると共に、上述した光学システム又は機械システムを用いて放射ビーム９５が基板Ｗの表面及び／又は感光性材料層５へ誘導されることを意味し得る。
【００７４】
[0092]  一実施形態において、この方法は、放射ビーム９５を実質的に半径方向に振動させることを含む。振動が発生している間に基板Ｗは回転し得るので、基板Ｗ及び／又は感光性材料層５に入射する放射ビーム９５と基板Ｗの表面及び／又は感光性材料層５との相対的な移動は、平面視で円形又はらせん形の経路を形成するように見える場合がある。
【００７５】
[0093]  上記の実施形態の任意のものにおいて、放射ビーム９５は連続的に振動している可能性がある。すなわち、放射ビーム９５は基板Ｗの上方で連続的に前後に移動する。これは、放射ビーム９５が感光性材料及び／又は基板Ｗのいずれかの部分に入射している間は放射ビーム９５が連続的に振動していることを意味し得る。
【００７６】
[0094]  上記の実施形態の任意のものにおいて、この方法は、感光性材料の少なくとも１つの特性に応じて放射ビーム９５の振動の周波数及び／又は振幅を制御することを含む。振動の周波数及び／又は振幅を制御すると、基板Ｗの表面上に残っている感光性材料層５に生成されるエッジの特徴を変化させることができる。例えば、放射ビーム９５の振動の周波数及び／又は振幅によって、エッジのフィーチャのピッチ及び深さを変化させることができる。放射ビーム９５の振動のこれらの特徴を制御することは、エッジの特性に影響を与え得るので、エッジの効果を考慮に入れるように、例えば、欠陥の発生を低減又は回避させるため基板Ｗ上に生じる欠陥及び／又は水損失を考慮に入れるように制御することができる。このように、放射ビーム９５の振動のこれらの特徴を制御することは、少なくとも１つのセンサ及び／又はプロセッサからの何らかのフィードバックに基づいて制御され得る。
【００７７】
[0095]  一実施形態において、基板Ｗ上に生じた欠陥及び／又は水損失の指示を与えることができる。例えば（図９に示されているような）測定ユニット９２は、リソグラフィ装置における基板Ｗの露光後に、基板Ｗ上に生じた欠陥及び／又は水損失を検出及び／又は測定し、基板Ｗ上に生じた欠陥及び／又は水損失の指示を与えることができる。あるいは測定ユニット９２は、エッジのプロファイルを測定して、基板Ｗ上に生じる欠陥及び／又は水損失の指示を決定／予測することができる。測定ユニット９２は、オフラインで（すなわち露光後に）使用され、テスト基板Ｗのみを使用する場合がある。測定ユニット９２は、振動ノズル１０に関して図５に示す測定ユニット８０と同じものであり得る。測定ユニット９２は、上述の実施形態の任意のものにおいて使用される装置の外部にある可能性があり、例えば測定ユニット９２はリソグラフィ装置の一部であり得る。一実施形態において、測定ユニット９２は、制御信号をコントローラ９１に送信するか又は制御信号をコントローラ９１から受信することができる。図９において、測定ユニット９２は、上述した実施形態と通信を行い得る外部ユニットとして図示されている。測定ユニット９２は、図１０から図１３Ｂ及び図１８のいずれかに示されている実施形態と通信を行うように提供されるか、又は図９に示されている実施形態において通信を行うようには提供されない場合がある。
【００７８】
[0096]  放射ビーム９５に変更が必要であると決定される場合がある。例えば、放射ビーム９５の振幅、周波数、及び／又はパワーが変更され得る。コントローラ９１を用いて必要な変更を決定し、放射ビーム９５の特徴を変更することができる。あるいは、コントローラ９１は、放射ビーム９５を制御するための変更を示す入力を測定ユニット９２から受信することができる。基板Ｗに生じる欠陥及び／又は水損失に対してこの変更が及ぼす効果の指示を、例えば上述の測定ユニット９２によって与えて、更に変更が望ましいか否かを決定することができる。
【００７９】
[0097]  一実施形態において、放射ビーム９５の振動の周波数を制御することは、周波数を所定の周波数範囲内で制御することを含む。放射ビーム９５の振動を所定の範囲内で制御すると、粗いエッジの波長を制御することができる。すなわち、振動の周波数を変化させて粗いエッジの波長を変調／調整することができる。エッジが粗いエッジである場合、上記の比較的大きい渦構造による例に関して上述したように、波長はフィーチャ間の距離である。しかしながら、エッジがパターン付きである場合、波長は、通常理解されるように波の周期の長さに関連する。波長は、連続した対応するポイント間の距離、例えば２つの頂点（ｃｒｅｓｔ）間の距離、又は２つの谷（ｔｒｏｕｇｈ）間の距離を意味すると理解され得る。従って、エッジの形状すなわち円周方向の厚さ変動は、放射ビーム９５の振動の周波数を制御することによって変化させると共に制御することができる。これにより、振動の周波数を制御することでエッジの形状に影響を与え、欠陥を低減又は回避することが可能となり得る。一実施形態において、周波数はほぼ約５００ｋＨｚ以下、又は好ましくは約１００ｋＨｚ以下、又は更に好ましくは約５０ｋＨｚ以下である。一実施形態において、周波数はほぼ約５００Ｈｚ以上、又は好ましくは約１ｋＨｚ以上、又は更に好ましくは約１０ｋＨｚ以上である。
【００８０】
[0098]  一実施形態において、放射ビーム９５の振動の周波数は、典型的な波長が約２ｍｍ以下、又は好ましくは約０．５ｍｍ以下、又は更に好ましくは約０．３ｍｍ以下であるように制御される。典型的な波長は平均波長とすることができる。一実施形態において、放射ビーム９５の振動の周波数は、典型的な波長が約１０μｍ以上、又は好ましくは約５０μｍ以上、又は更に好ましくは約０．１ｍｍ以上であるように制御される。振動の周波数を制御して、これらの値、特に好ましい値及び更に好ましい値の波長を有するエッジを生成することは、欠陥を低減又は回避できることを意味し得る。
【００８１】
[0099]  一実施形態において、この方法は、放射ビーム９５の振動の振幅を所定の振幅範囲内で制御してエッジの半径方向の幅ＲＷを制御することを含む。放射ビーム９５の振幅を所定範囲内で制御すると、エッジの半径方向の幅ＲＷを制御することができる。すなわち、振動の振幅を変化させてエッジの半径方向の幅を変調／調整することができる。従って、エッジの形状は、放射ビーム９５の振動の振幅を制御することによって変化させると共に制御することができる。この結果得られるエッジの形状は、放射ビーム９５の振動の振幅を制御して欠陥を低減又は回避することを可能とする。
【００８２】
[0100]  一実施形態において、放射ビーム９５の振動の振幅は、半径方向の幅ＲＷが約２ｍｍ以下、又は好ましくは約０．５ｍｍ以下、又は更に好ましくは約０．３ｍｍ以下であるように制御される。一実施形態において、放射ビーム９５の振動の振幅は、半径方向の幅ＲＷが約１０μｍ以上、又は好ましくは約５０μｍ以上、又は更に好ましくは約０．１ｍｍ以上であるように制御される。振動の振幅を制御して、これらの値、特に好ましい値及び更に好ましい値の半径方向の幅ＲＷを有する粗いエッジを生成すると、上述のような欠陥を低減又は回避することができる。
【００８３】
[0101]  一実施形態において、放射ビーム９５の振動の振幅はほぼ約２ｍｍ以下、又は好ましくは約０．５ｍｍ以下、又は更に好ましくは約０．３ｍｍ以下である。一実施形態において、放射ビーム９５の振動の振幅はほぼ約１０μｍ以上、又は好ましくは約５０μｍ以上、又は更に好ましくは約０．１ｍｍ以上である。
【００８４】
[0102]  一実施形態において、この方法は、放射ビーム９５を所定の周波数で振動させることを含む。この方法は更に、基板Ｗを第１の周波数で回転させることと、放射ビーム９５を第２の周波数で振動させることと、を含み得る。基板Ｗを第１の周波数で回転させることは、基板Ｗを基板サポート７上に提供することと、基板Ｗの軸を中心とした基板サポート７の回転を制御することと、を含み得る。この方法は、毎分数百又は数千回転で基板Ｗを回転させることを含み得る。第２の周波数は第１の周波数よりも高くすることができる。第２の周波数は第１の周波数よりも大幅に高くすることができる。この文脈において、大幅に高いとは、第２の周波数が第１の周波数よりも少なくとも１０倍高いこと、又は第２の周波数が第１の周波数よりも少なくとも１００倍高いこと、又は第２の周波数が第１の周波数よりも少なくとも１０００倍高いことを意味し得る。
【００８５】
[0103]  レーザの使用に関連する上記の実施形態の任意のものにおいて、この方法はレーザをパルス化することを含み得る。この実施形態は図１０に示されている。言い換えれば、レーザ１００からの放射ビーム１０５は、ある時間期間にわたって放射ビーム１０５が本質的に「オン」又は「オフ」状態であるという点でパルス状に基板Ｗ及び／又は感光性材料層５に入射する。「オン」状態は、放射ビーム１０５が基板Ｗ及び／又は感光性材料層５に誘導されるすなわち入射する時であり、「オフ」状態は、放射ビーム１０５が基板Ｗ及び／又は感光性材料層５に誘導されないすなわち入射しない時である。これは、レーザ１００をオン及びオフにすることによって制御され得る。これは、レーザ１００から一定の放射ビーム１０５を提供するが、「オフ」状態期間中は放射ビーム１０５が基板Ｗの表面及び／又は感光性材料層５に到達するのを阻止することによって制御され得る。例えば、放射の通過を可能とする孔を備えた回転ディスクのような物理バリアを使用できる。
【００８６】
[0104]  「オン」状態は、上述のようなエッジを適切に生成する任意の周波数で提供することができる。単なる例示であるが、「オン」状態の周波数は、１Ｈｚから数百ｋＨｚ、又はＭＨｚのオーダーであり、例えば約１０ｋＨｚから１ＭＨｚの間とすることができるが、必ずしもそうとは限らない。周波数は、放射ビーム１０５と基板Ｗ及び／又は感光性材料層５との相対的な移動、放射ビーム１０５の波長、及びレーザ１００のパワーに応じて変動し得る。周波数は、上述のようなエッジを得るように変動させることができる。
【００８７】
[0105]  この実施形態では、基板Ｗの表面及び／又は感光性材料層５に入射する放射ビーム１０５を、基板Ｗの表面及び／又は感光性材料層５に対して移動させる。例えば、各パルスの間、又は設定された数のパルスとパルスの間に相対的な移動があり得る。一実施形態では、レーザ１００を基板Ｗに対して移動させる。このようにして、放射ビーム１０５の異なるパルスが感光性材料の異なる部分に入射し、これによって感光性材料層５の異なる部分を除去すると共にエッジを生成する。
【００８８】
[0106]  この実施形態において、方法は、感光性材料の少なくとも１つの特性に応じてレーザ１００のパルス化を制御することを含み得る。レーザ１００からの放射ビーム１０５のパルスを制御するため、コントローラ１０１を提供することができる。コントローラ１０１は前述のコントローラのいずれかと同じものであり得る。コントローラ１０１はレーザ１００の外部に図示されているが、コントローラ１０１はレーザ１００と一体化してもよい。
【００８９】
[0107]  放射ビーム１０５のパルスを制御して、固定の「オン」及び「オフ」状態を有することができる。放射ビーム１０５のパルスは一定間隔であり得る。パルス化放射ビーム１０５の「オン」及び「オフ」状態は同等である、すなわち、放射ビーム１０５が基板Ｗ及び／又は感光性材料層５に入射する時間量は基板Ｗ及び／又は感光性材料層５に入射しない時間量と同一であり得る。言い換えれば、デューティサイクルは５０％であり得る。放射ビーム１０５のパルスの周波数は、特定の時間単位において繰り返すパルス数である。言い換えれば、周波数は、特定の時間単位において放射ビーム１０５が「オン」状態にされる回数である。放射ビーム１０５が基板Ｗの表面及び／又は感光性材料層５に入射する時間量は、レーザ１００のパワーに依存し得る。例えば、レーザ１００のパワーが低下した場合、放射ビーム１０５が「オン」状態である時間が長くなり得る。
【００９０】
[0108]  一実施形態において、レーザ１００からの放射ビーム１０５のパルスの周波数を制御することは、周波数を所定の周波数範囲内で制御することを含む。放射ビーム１０５のパルスの周波数を所定の範囲内で制御すると、エッジの波長を制御することができる。すなわち、周波数を変化させてエッジの波長を変調／調整することができる。波長は、当てはまる場合、粗いエッジ又はパターン付きエッジについて上述したように解釈され得る。従って、エッジの形状は、放射ビーム１０５のパルスの周波数を制御することによって変化させると共に制御することができる。これにより、パルスの周波数を制御して、欠陥を低減又は回避させ得るようにエッジを整形することが可能となる。一実施形態において、周波数はほぼ約５００ｋＨｚ以下、又は好ましくは約１００ｋＨｚ以下、又は更に好ましくは約５０ｋＨｚ以下である。一実施形態において、周波数はほぼ約５００Ｈｚ以上、又は好ましくは約１ｋＨｚ以上、又は更に好ましくは約１０ｋＨｚ以上である。
【００９１】
[0109]  一実施形態において、レーザ１００からの放射ビーム１０５のパルスの周波数は、典型的な波長が約２ｍｍ以下、又は好ましくは約０．５ｍｍ以下、又は更に好ましくは約０．３ｍｍ以下であるように制御される。典型的な波長は平均波長とすることができる。一実施形態において、レーザ１００からの放射ビーム１０５のパルスの周波数は、典型的な波長が約１０μｍ以上、又は好ましくは約５０μｍ以上、又は更に好ましくは約０．１ｍｍ以上であるように制御される。レーザ１００からの放射ビーム１０５のパルスの周波数を制御して、これらの値、特に好ましい値及び更に好ましい値の波長を有するエッジを生成することは、欠陥を低減又は回避できることを意味し得る。
【００９２】
[0110]  一実施形態において、この方法は、レーザ１００からの放射ビーム１０５を所定の周波数でパルス化することを含む。この方法は更に、基板Ｗを第１の周波数で回転させることと、放射ビーム１０５を第２の周波数でパルス化することと、を含み得る。基板Ｗを第１の周波数で回転させることは、基板Ｗを基板サポート７上に提供することと、基板Ｗの軸を中心とした基板サポート７の回転を制御することと、を含み得る。この方法は、毎分数百又は数千回転で基板Ｗを回転させることを含み得る。第２の周波数は第１の周波数よりも高くすることができる。第２の周波数は第１の周波数よりも大幅に高くすることができる。この文脈において、大幅に高いとは、第２の周波数が第１の周波数よりも少なくとも１０倍高いこと、又は第２の周波数が第１の周波数よりも少なくとも１００倍高いこと、又は第２の周波数が第１の周波数よりも少なくとも１０００倍高いことを意味し得る。
【００９３】
[0111]  一実施形態において、この方法は、基板Ｗ及び／又は感光性材料層５に入射するレーザ１００からの放射ビーム１０５の幅を所定範囲内で制御して、基板Ｗの表面上に残っている感光性材料層５のエッジの半径方向の幅ＲＷを制御することを含み得る。上述のように、感光性材料層５のエッジの形状、例えばエッジの半径方向の幅ＲＷを制御することは、基板Ｗの表面上の欠陥に影響を与え得るので、上述のエラーを低減させるように制御することができる。これにより、基板Ｗ及び／又は感光性材料層５に入射するレーザ１００からの放射ビーム１０５の幅を制御して、欠陥を軽減又は回避することが可能となる。
【００９４】
[0112]  一実施形態において、基板Ｗ及び／又は感光性材料層５に入射するレーザ１００からの放射ビーム１０５の幅は、エッジの半径方向の幅ＲＷが約３ｍｍ以下、又は好ましくは約２ｍｍ以下、又は更に好ましくは約０．５ｍｍ以下であるように制御される。一実施形態において、基板Ｗ及び／又は感光性材料層５に入射するレーザ１００からの放射ビーム１０５の幅は、エッジの半径方向の幅ＲＷが約０．０１ｍｍ以上、又は好ましくは約０．０５ｍｍ以上、又は更に好ましくは約０．１ｍｍ以上であるように制御される。基板Ｗ及び／又は感光性材料層５に入射するレーザ１００からの放射ビーム１０５の幅を制御して、これらの値、特に好ましい値及び更に好ましい値の半径方向の幅ＲＷを有するエッジを生成すると、残りの感光性材料層５のエッジに起因する欠陥を低減又は回避することができる。
【００９５】
[0113]  一実施形態において、基板Ｗに生じた欠陥及び／又は水損失の指示を与えることができる。基板Ｗに生じた欠陥及び／又は水損失の指示は、例えば図９に示されている実施形態と共に、上述したような測定ユニット９２を用いて与えることができる。しかしながらこの実施形態では、測定ユニット９２は、制御信号をコントローラ１０１に送信するか又は制御信号をコントローラ１０１から受信することができる。上述のように測定ユニット９２から受信した指示を用いることから、レーザ１００からの放射ビーム１０５において、例えば放射のパルスの周波数及び／又は強度等の変更が必要であると決定される場合がある。コントローラ１０１を用いて必要な変更を決定し、放射ビーム１０５の特徴を変更することができる。あるいは、コントローラ１０１は、放射ビーム１０５を制御するための変更を示す入力を測定ユニット９２から受信することができる。基板Ｗに生じる欠陥及び／又は水損失に対してこの変更が及ぼす効果の指示を、例えば上述の測定ユニット９２によって与えて、更に変更が望ましいか否かを決定することができる。
【００９６】
[0114]  放射ビーム１０５は放射ビーム９５と同一とすることができ、レーザ１００はレーザ９０と同一とすることができる。このため、振動放射ビーム９５を提供するため使用されるレーザ９０を用いてパルス化放射ビーム１０５を提供することも可能である。従って放射ビーム１０５は、任意選択的に振動及びパルス化を同時に行うよう構成され得る。
【００９７】
[0115]  レーザに関連する上記の実施形態の任意のものにおいて、この方法は更にパターニングデバイスを提供することを含み得る。この実施形態では、パターニングデバイスを用いて、基板Ｗ及び／又は感光性材料層５に入射する放射ビームに何らかの方法でパターンを付与することができる。一実施形態において、放射ビームはパターニングデバイスから反射され得る。一実施形態において、放射ビームはパターニングデバイスを通過し得る。
【００９８】
[0116]  一実施形態では、パターニングデバイスを基板Ｗに対して移動させることで、上述のようなエッジを生成できる。例えばパターニングデバイスは、レーザからの放射を方向転換させるために基板Ｗの外側の周りで移動させることができる。パターニングデバイスは、全てでないが一部の放射を基板Ｗ及び／又は感光性材料層５の方へ誘導することができる。パターニングデバイスは放射ビームの強度を変えることができる。
【００９９】
[0117]  一実施形態において、パターニングデバイスの相対的な移動は、感光性材料の１つ以上の特性に応じて制御され得る。一実施形態において、パターニングデバイスの相対的な移動は、エッジの波長が所望の範囲内となるように制御され得る。波長は、当てはまる場合、粗いエッジ又はパターン付きエッジについて上述したように解釈され得る。一実施形態において、典型的な波長は約２ｍｍ以下、又は好ましくは約０．５ｍｍ以下、又は更に好ましくは約０．３ｍｍ以下である。典型的な波長は平均波長とすることができる。一実施形態において、パターニングデバイスの移動は、典型的な波長が約１０μｍ以上、又は好ましくは約５０μｍ以上、又は更に好ましくは約０．１ｍｍ以上であるように制御される。パターニングデバイスの移動を制御して、これらの値、特に好ましい値及び更に好ましい値の波長を有する上記のようなエッジを生成すると、欠陥を低減又は回避することができる。
【０１００】
[0118]  一実施形態において、パターニングデバイスの相対的な移動は、半径方向の幅ＲＷが約２ｍｍ以下、又は好ましくは約０．５ｍｍ以下、又は更に好ましくは約０．３ｍｍ以下であるように制御される。一実施形態において、パターニングデバイスの相対的な移動は、半径方向の幅ＲＷが約１０μｍ以上、又は好ましくは約５０μｍ以上、又は更に好ましくは約０．１ｍｍ以上であるように制御される。パターニングデバイスの相対的な移動を制御して、これらの値、特に好ましい値及び更に好ましい値の半径方向の幅ＲＷを有する上記のようなエッジを生成すると、上述のような欠陥を低減又は回避することができる。
【０１０１】
[0119]  一実施形態において、パターニングデバイスは整形マスク１１６である。整形マスク１１６は、他の場合に幾何学的マスク（ｇｅｏｍｅｔｒｉｃ  ｍａｓｋ）と呼ばれることがある。図１１Ａに示されているように、レーザ１１０は、基板Ｗ及び／又は感光性材料層５の方へ誘導される放射ビーム１１５を発する。放射ビーム１１５は基板Ｗ及び／又は感光性材料層５の方へ誘導され、整形マスク１１６は、整形マスク１１６の特定部分の周囲の放射が基板Ｗ及び／又は感光性材料層５に到達することを阻止又は軽減する。
【０１０２】
[0120]  整形マスク１１６は、放射ビーム１１５の断面に挿入されるマスクとすることができ、例えば、特定の整形孔を通る放射のみが基板Ｗに到達するように、この整形孔を通るもの以外の放射が基板Ｗ及び／又は感光性材料層５に到達するのを阻止（又は軽減）する。図１１Ａ及び図１１Ｂに、整形マスク１１６を用いたエッジの生成が示されている。図示のように、整形マスク１１６は、放射ビーム１１５が平面視で三角形の形状に通過することを可能とする。すなわち、放射ビーム１１５は整形マスク１１６によって整形される。整形マスク１１６は、エッジにおいて所望の厚さプロファイルを達成するため任意の所望の形状とすればよい。整形マスク１１６は、図示されているような単一の形状でなくパターン形状又は繰り返し形状の整形孔を有してもよい。整形マスク１１６は上述のような整形孔を有することができ、孔の大きさは特に限定されない。例えば整形孔は、１０ｓ、１００ｓ、又は１０００ｓ  μｍのオーダーの幅を有し得る。
【０１０３】
[0121]  整形マスク１１６の移動はコントローラ１１１を用いて制御することができる。コントローラ１１１は、上記の実施形態のいずれかに記載されたものと同じタイプの同じコントローラであり得る。レーザ１１０及び放射ビーム１１５はそれぞれ、前述した他のレーザ及び放射ビームと同じものであり得る。従って整形マスク１１６は、上記の振動及び／又はパルス化放射ビームの実施形態に追加して提供することができる。
【０１０４】
[0122]  一実施形態において、図１１Ａ及び図１１Ｂの整形マスク１１６は、透過型パターン付きマスク又は反射型パターン付きマスクに取り換えることができる。透過型パターン付きマスクは、一部の放射が透過性部分を通過できるように構成されている。また、透過型パターン付きマスクは、一部の放射が透過性パターン付きマスクを通過することを阻止する。このため、例えば放射ビーム１１５の断面にパターンが形成される。一方、反射型パターン付きマスクは、一部の放射が反射性部分から反射できるように構成されている。反射型パターン付きマスクは、一部の放射が反射性パターンから反射することを阻止する。このようにして、放射ビーム１１５の断面にパターンが形成される。従って、反射型パターン付きマスク及び透過型パターン付きマスクは双方とも放射ビーム１１５の断面にパターンを形成し得るが、反射型パターン付きマスクでは放射ビーム１１５は反射型パターン付きマスクから反射されるのに対し、透過型マスクでは放射ビーム１１５はこれを通過する。
【０１０５】
[0123]  一実施形態において、パターニングデバイスは整形マスク１１６でなく透過型回折格子１２６である（干渉格子としても知られている）。すなわち、上述のような整形マスク１１６を透過型回折格子１２６に取り換えることができる。図１２Ａ及び図１２Ｂに、透過型回折格子１２６を用いたエッジの生成が示されている。図１２Ａに示されているように、レーザ１２０は、基板Ｗ及び／又は感光性材料層５の方へ誘導されてエッジを生成する放射ビーム１２５を発する。放射ビーム１２５は透過型回折格子１２６を通過する。このため、放射ビーム１２５は空間的に変調される。残りの感光性材料層５のエッジにおいて、空間的に変調された放射ビーム１２５の相互作用及び重複が起こることで、円周方向に厚さプロファイルが変動する上述のエッジが生成される。
【０１０６】
[0124]  透過型回折格子１２６は、スリット間に所定の距離を有する複数のスリットを備えた少なくとも１つの表面を含む。図１２Ｂに示されているように、透過型回折格子１２６は第１の格子１２６ａ及び第２の格子１２６ｂを含む。第１の格子１２６ａ又は第２の格子１２６ｂのいずれかは、スリット間に所定の距離を有する複数のスリットを備えた表面を含む。放射ビーム１２５は透過型回折格子１２６を通過する。放射ビーム１２５は、透過型回折格子１２６の第１の格子１２６ａの複数のスリットを通過する際、放射ビーム１２５ａに分割される。分割された放射ビーム１２５ａは次いで透過型回折格子１２６の第２の格子１２６ｂの複数のスリットを通過し、この結果生じた放射ビーム１２５ｂは基板Ｗ及び／又は感光性材料層５の方へ誘導される。放射ビーム１２５ａ及び１２５ｂの方向は、少なくとも、第１の格子１２６ａ及び第２の格子１２６ｂにおいて放射が通過するスリットの間隔と、放射ビーム１２５の波長と、に依存し得る。スリットの間隔は、感光性材料の少なくとも１つの特性に応じて選択される所定の距離である。
【０１０７】
[0125]  使用される格子のタイプは任意の市販の格子とすればよい。単なる例示として、第１の格子１２６ａ及び／又は第２の格子１２６ｂの少なくとも１つは１ｍｍ当たり約３００のスリットを有し、放射ビーム１２５は約３５５ｎｍの波長を有し、透過型回折格子１２６は基板Ｗの表面から約４５０μｍの距離にあり得る。１ｍｍ当たりのスリット数は、透過型回折格子１２６に対する放射ビーム１２５の位置決め及び波長に依存し得る。放射ビーム１２５の波長、スリット間の所定距離、第１の格子１２６ａと第２の格子１２６ｂとの間の距離、及び透過型回折格子１２６と基板Ｗの表面との間の距離は、様々に変動する場合があり、これらの変動は相互に影響を与え得る。例えば、１２５ｂのような分割された放射ビーム間の強め合う干渉が特定の半径において発生する。従って、干渉パターンを所望のエッジ形状にマッチングすることで、エッジの厚さを制御することができる。このようにして、所望の場合、エッジにおいて周期的に変調されたパターンを得ることができる。
【０１０８】
[0126]  透過型回折格子１２６の移動はコントローラ１２１を用いて制御することができる。コントローラ１２１は、上記の実施形態のいずれかに記載されたものと同じタイプの同じコントローラであり得る。レーザ１２０及び放射ビーム１２５はそれぞれ、前述した他のレーザ及び放射ビームと同じものであり得る。従って透過型回折格子１２６は、上述した他のパターニングデバイスのいずれかの代わりに用いるため、又は、上記の振動及び／又はパルス化放射ビームの実施形態に追加して、提供することができる。
【０１０９】
[0127]  一実施形態において、パターニングデバイスは整形マスク１１６でなく反射型回折格子１３６であり得る。すなわち、上述のような整形マスク１１６を反射型回折格子１３６に取り換えることができる。図１３Ａ及び図１３Ｂに、反射型回折格子１３６を用いたエッジの生成が示されている。反射型回折格子１３６は、溝間に所定の距離を有する複数の溝を備えた少なくとも１つの表面を含み得る。所定の距離は、感光性材料の少なくとも１つの特性に応じて選択され得る。図１３Ａに示されているように、レーザ１３０は、基板Ｗ及び／又は感光性材料層５の方へ誘導される放射ビーム１３５を発する。放射ビーム１３５は反射型回折格子１３６から反射される。このため、放射ビーム１３５は空間的に変調される。残りの感光性材料層５のエッジにおいて、空間的に変調された放射ビーム１３５の相互作用及び重複が起こることで、円周方向に厚さプロファイルが変動する上述のエッジが生成される。
【０１１０】
[0128]  図１３Ｂに示されているように、放射ビーム１３５はある角度で反射型回折格子１３６の方へ誘導され得る。角度の付いた放射ビーム１３５は反射型回折格子１３６から反射され、基板Ｗ及び／又は感光性材料層５の方へ誘導されてエッジを生成する。図１３Ｂに示されているように、放射ビーム１３５が反射型回折格子１３６から反射された場合、放射ビームはいくつかのビーム、すなわちいくつかのスペクトル次数に分割する。これは図１３Ｂにおいて、ｍ＝１、ｍ＝０、ｍ＝−１、ｍ＝−２と表されている。
【０１１１】
[0129]  上述のように、反射型回折格子１３６は、反射型回折格子１３６の表面に、例えば隆起（ｒｉｄｇｅｓ）又は罫線（ｒｕｌｉｎｇｓ）を含む溝を含み得る。溝は相互に既定の距離にあり得る。この場合、溝は放射ビーム１３５がどのように分割されるかを決定する。例えば、格子周期とも呼ぶことができる既定の距離は、例えば反射型回折格子１３６の表面の各溝間の距離のように、図１３Ｂにおいて距離ｄとして決定され得る。距離ｄは、放射ビーム１３５を所望のように分割するよう選択することができる。
【０１１２】
[0130]  既知の市販の反射型回折格子を使用することができる。単なる例示として、１ｍｍ当たり約３００の溝を有する市販の回折格子が使用され、放射ビーム１３５は約３５５ｎｍの波長を有し、反射型回折格子１３６は基板Ｗの表面から約４５０μｍの距離にあり得る。他の既知の反射型回折格子も使用可能であり、反射型回折格子１３６に対する放射ビーム１３５の位置決め及び放射ビーム１３５の波長に応じて周期を選択することができる。放射ビーム１３５の波長、溝間の所定の距離、及び反射型回折格子１３６と基板Ｗの表面との間の距離は、様々に変動する場合があり、これらの変動は相互に影響を与え得る。
【０１１３】
[0131]  異なるｍ値を有する分割放射ビームは、様々な強度を有する。放射ビーム１３５の入射角θを変えると、分割放射ビーム１３５の角度、例えばｍ＝１のビームの角度εが変化する。これらの角度の変動を用いて、どのように放射ビーム１３５が基板Ｗの表面及び／又は感光性材料層５に入射して上述のようなエッジを達成するかを制御できる。所望のエッジを達成するように、レーザ１３０、放射ビーム１３５、並びに基板Ｗの表面及び／又は感光性材料層５に対する反射型回折格子１３６の位置を変化させることができる。分割放射ビーム間の強め合う干渉が特定の半径において発生する。従って、干渉パターンを所望のエッジ形状にマッチングすることで、エッジの厚さを制御することができる。このようにして、所望の場合、エッジにおいて周期的に変調されたパターンを得ることができる。
【０１１４】
[0132]  反射型回折格子１３６の移動はコントローラ１３１を用いて制御することができる。コントローラ１３１は、上記の実施形態のいずれかに記載されたものと同じタイプの同じコントローラであり得る。レーザ１３０及び放射ビーム１３５はそれぞれ、前述した他のレーザ及び放射ビームと同じものであり得る。従って反射型回折格子１３６は、上述した他のパターニングデバイスのいずれかの代わりに用いるため、又は、上記の振動及び／又はパルス化放射ビームの実施形態に追加して、提供することができる。
【０１１５】
[0133]  エッジを生成するためのレーザの使用に関連する上記の実施形態の任意のものにおいて、基板Ｗ及び／又は感光性材料層５に入射する放射ビームの断面積、例えば放射ビームの幅は、感光性材料層５の少なくとも１つの特性に応じて制御され得る。放射ビームを制御すると、基板Ｗの表面に残っている感光性材料層５に生成されるエッジの特徴を変化させることができる。例えば、基板Ｗの表面及び／又は感光性材料層５に入射する放射ビームの幅及び／又は強度によって、エッジのフィーチャのピッチ及び深さを変化させる、すなわち、エッジが所望の構造を有するように構造を変化させることができる。この構造は、例えば上述のようなパターニング又はラフネスのために、円周方向及び半径方向の接触角／高さの変動を有し得る。従って、放射ビームを制御することは、エッジの特性に影響を与え得るので、エッジの効果を考慮に入れるように、例えば、欠陥の発生を低減又は回避させるため基板Ｗ上に生じる欠陥及び／又は水損失を考慮に入れるように制御することができる。このように、放射ビームを制御することは、少なくとも１つのセンサ及び／又はプロセッサからの何らかのフィードバックに基づいて制御され得る。レーザの使用に関連する上記の実施形態の任意のものにおいて、レーザの位置を制御して、放射ビームが基板Ｗに到達する際の放射ビームの方向を制御することができる。この位置を制御して、感光性材料層５のどの部分に放射ビームが影響を及ぼすかを制御することができる。この位置は、例えばレーザを傾けて放射の方向を変えることによって制御され得る。これは、基板Ｗの表面及び／又は感光性材料層５に入射する放射ビームの形状をわずかに変化させる。
【０１１６】
[0134]  一実施形態において、感光性材料層５の外縁から感光性材料を除去することは、以下の実施形態に記載するように感光性材料層５の外縁においてプラズマを使用することを含む。これは、上記の実施形態のいくつかで記載されているような初期除去ステップの後で実行され得る。ガス流と高電界の組み合わせである大気圧プラズマ放電は、感光性材料を除去し得る反応環境を与えることができる。プラズマは、プラズマの様々な異なる特性を制御することによって制御できる。現在記載されている実施形態においてプラズマという用語に言及するが、プラズマという場合、プラズマ自体及び／又はプラズマ放電を指す場合があることは理解されよう。例えば、周波数、電圧、ガス組成、圧力、流量、及び／又は電極の幾何学的形状を調整することによって、プラズマの特性を制御することができる。具体的な設計及び用途に応じて、大気圧プラズマデバイスは、不規則（ｅｒｒａｔｉｃ）ガス放電又は局所プラズマジェットを提供するように構成され得る。これらは双方とも、感光性材料層５のエッジの長さに沿った厚さプロファイルの変動を生成しながら感光性材料を除去するために使用できる。ガス（例えば化学種の追加）及びプラズマ設定を調整することによって、このプロセスを、エッチング、アッシング／酸化、又は（局所）表面改質（粗化（ｒｏｕｇｈｅｎｉｎｇ）又は堆積）のために使用できる。大気圧プラズマ放電についての更なる情報は、Ｏ．  Ｖ．  Ｐｅｎｋｏｖ等による「Ａ  ｒｅｖｉｅｗ  ｏｆ  ｒｅｃｅｎｔ  ａｐｐｌｉｃａｔｉｏｎｓ  ｏｆ  ａｔｍｏｓｐｈｅｒｉｃ  ｐｒｅｓｓｕｒｅ  ｐｌａｓｍａ  ｊｅｔｓ  ｆｏｒ  ｍａｔｅｒｉａｌｓ  ｐｒｏｃｅｓｓｉｎｇ」、Ｊ．  Ｃｏａｔｉｎｇｓ  Ｔｅｃｈｎｏｌｏｇｙ  ａｎｄ  Ｒｅｓｅａｒｃｈ（２０１５）、及び、Ｓｃｈｕｔｚｅ等による「Ｔｈｅ  Ａｔｍｏｓｐｈｅｒｉｃ−Ｐｒｅｓｓｕｒｅ  Ｐｌａｓｍａ  Ｊｅｔ：  Ａ  Ｒｅｖｉｅｗ  ａｎｄ  Ｃｏｍｐａｒｉｓｏｎ  ｔｏ  Ｏｔｈｅｒ  Ｐｌａｓｍａ  Ｓｏｕｒｃｅｓ」、ＩＥＥＥ  Ｔｒａｎｓａｃｔｉｏｎｓ  ｏｎ  Ｐｌａｓｍａ  Ｓｃｉｅｎｃｅ（１９９８）に与えられている。
【０１１７】
[0135]  大気圧プラズマ放電を用いて、例えばエッチング又はアッシングによって感光性材料を除去することができる。これは例えば、酸素又は窒素を含むガス混合物の使用を伴うことがある。そのような技法を用いた感光性材料除去の例は、Ｈ．  Ｈ．  Ｃｈｅｎ等による「Ｐｈｏｔｏ−ｒｅｓｉｓｔ  ｓｔｒｉｐｐｉｎｇ  ｐｒｏｃｅｓｓ  ｕｓｉｎｇ  ａｔｍｏｓｐｈｅｒｉｃ  ｍｉｃｒｏ−ｐｌａｓｍａ  ｓｙｓｔｅｍ」、Ｊ．  Ｐｈｙｓ  Ｄ（２００９）、Ｈ．  Ｙｏｓｈｉｋｉ等による「Ｌｏｃａｌｉｚｅｄ  Ｒｅｍｏｖａｌ  ｏｆ  ａ  Ｐｈｏｔｏｒｅｓｉｓｔ  ｂｙ  Ａｔｍｏｓｐｈｅｒｉｃ  Ｐｒｅｓｓｕｒｅ  Ｍｉｃｒｏ−Ｐｌａｓｍａ  Ｊｅｔ  Ｕｓｉｎｇ  ＲＦ  Ｃｏｒｏｎａ  Ｄｉｓｃｈａｒｇｅ」、Ｊａｐａｎｅｓｅ  Ｊ．  Ａｐｐｌ．  Ｐｈｙｓ（２００２）、及び、Ｊ．  Ｙ．  Ｊｅｏｎｇ等による「Ｅｔｃｈｉｎｇ  ｍａｔｅｒｉａｌｓ  ｗｉｔｈ  ａｎ  ａｔｍｏｓｐｈｅｒｉｃ−ｐｒｅｓｓｕｒｅ  ｐｌａｓｍａ  ｊｅｔ」、Ｐｌａｓｍａ  Ｓｏｕｒｃｅｓ  Ｓｃｉ  Ｔｅｃｈｎｏｌ（１９９８）に記載されている。ＵＳ６，２３８，５８７Ｂ１号に記載されているように、基板Ｗは放電プラズマ下で回転され得るが、本実施形態では、プラズマは特に感光性材料除去及びエッジ処理のため、更に具体的には、エッジの長さに沿った厚さプロファイルの変動を生成するために使用される。
【０１１８】
[0136]  以下で更に詳しく記載されるように、プラズマはプラズマジェットとして使用することができ、プラズマジェットは任意選択的に粗いエッジ又はパターン付きエッジを生成できる。後に記載されるように、例えば粗いエッジを提供する（例えば、図５又は図９の実施形態と同様の振動をプラズマジェットと組み合わせることによって）か、又はパターン付きエッジを提供するように、プラズマジェットを上述のノズル及びレーザと同様に制御することができる。
【０１１９】
[0137]  一実施形態において、感光性材料の除去は、感光性材料層５の外縁の感光性材料をプラズマに暴露することを含む。プラズマは、他の場合にはプラズマジェットと呼ぶことができる局所プラズマであり得る。プラズマジェットはプラズマ及び／又はプラズマ放電を含む。プラズマはプラズマデバイスによって提供され得る。プラズマジェットはマイクロジェットである、すなわち極めて高い強度を有する可能性があり、及び／又はプラズマデバイスは、以下に記載されるプラズマジェットとして使用され得るマイクロプラズマジェットのアレイを生成できる。プラズマデバイスは、他の場合にはプラズマトーチ又はプラズマノズルと呼ばれることがある。プラズマデバイスからのプラズマジェットを用いた除去は、エッジの長さに沿った厚さプロファイルの変動を生成するように制御される。例えばこれによって、上述のような粗いエッジ又はパターン付きエッジを形成できる。
【０１２０】
[0138]  あるいは、除去することは、感光性材料層５の外縁の感光性材料を除去するための初期除去ステップを含み、更に、エッジを生成するように、感光性材料をプラズマに暴露して残りの感光性材料層５の周りから更に感光性材料を除去することを含む。この実施形態において、初期ステップは、本明細書に記載されている実施形態の任意のものにおける方法を含む多種多様な方法によって実行され得る。初期除去ステップは、図２に示されているように、基板Ｗの表面上に上述したエッジなしの残りの感光性材料層５を生じ得るいずれかの既知の方法を用いて実行できる。プラズマデバイスからのプラズマジェットを用いて更に感光性材料を除去することは、エッジの長さに沿った厚さプロファイルの変動を生成するように制御される。例えばこれによって、上述のような粗いエッジ又はパターン付きエッジを形成できる。
【０１２１】
[0139]  図１４に示されているように、プラズマデバイス１４０は、感光性材料が暴露されるプラズマジェット１４５を発することができる。感光性材料へ誘導されたプラズマジェット１４５を用いて、感光性材料層５のエッジの感光性材料を変化させて灰化することができる。このプロセスはアッシングと呼ばれることがある。灰（ａｓｈ）は次いで、図１４に示されている抽出器１４３によって除去できる。抽出器１４３は、感光性材料酸化生成物のようなアッシングから生じた生成物も除去できる。抽出器１４３は、除去された感光性材料を抽出するため、他の実施形態の任意のものと共に提供され得る。抽出器１４３は、基板Ｗの周りから感光性材料を除去するための他の手段と交換可能であり得る。
【０１２２】
[0140]  プラズマジェット１４５を提供するために使用されるプラズマのタイプは特に限定されない。上述のように、例えばガス組成、圧力、流量、電圧、電極の幾何学的形状、及び／又は周波数等、プラズマの様々な特性を制御することで、除去対象の感光性材料の特性に応じて正確な制御及び適合が可能であるプラズマのジェットを生成できる。
【０１２３】
[0141]  一実施形態においてこの方法は、プラズマデバイス１４０を用いて、感光性材料へ誘導されるプラズマジェット１４５（すなわち局所プラズマ）を提供すること、すなわち感光性材料をプラズマに暴露することを含む。この方法は、図１４に示されているように、エッジの長さに沿って厚さプロファイルが変動するエッジを生成するようにプラズマジェット１４５を振動させることを含むことができ、プラズマデバイス１４０を振動プラズマデバイスと呼ぶことができる。言い換えれば、感光性材料に入射するプラズマジェット１４５は規則的に前後に移動され得る。これは、プラズマデバイス１４０を移動及び／又は傾斜させてプラズマジェット１４５を振動させることを含み得る。プラズマジェット１４５の振動を制御するため、コントローラ１４１を提供することができる。一実施形態では、このようにプラズマジェット１４５を振動させると、感光性材料層５のエッジを円周方向に変調することができる。例えば、プラズマジェット１４５を振動させることで、エッジの形状が上述のような正弦波、三角波、方形波、又は矩形波と同様になるようにパターン付きエッジを形成できる。プラズマデバイス１４０は振動プラズマデバイスと呼ぶことができ、上述のような振動ノズル１０の使用と同じ利点を有し得る。プラズマデバイス１４０は、パターン付きエッジを生成できることに関連した追加の利点を有し得る。
【０１２４】
[0142]  プラズマジェット１４５は、平面視において基板Ｗ及び／又は感光性材料層５上で前後に振動させ得る。プラズマジェット１４５の前後の動きは図１４において矢印で示されている。これは、プラズマジェット１４５の振動中は振動プラズマデバイス１４０が基板Ｗ及び／又は感光性材料層５の上方にあることを意味し得る。
【０１２５】
[0143]  一実施形態において、この方法は、プラズマジェット１４５を実質的に半径方向に振動させることを含む。振動が発生している間に基板Ｗは回転し得るので、基板Ｗ及び／又は感光性材料層５に入射するプラズマジェット１４５と基板の表面Ｗ及び／又は感光性材料層５との相対的な移動は、平面視で円形又はらせん形の経路を形成するように見える場合がある。
【０１２６】
[0144]  上記の実施形態の任意のものにおいて、プラズマジェット１４５は連続的に振動している可能性がある。すなわち、プラズマジェット１４５は基板Ｗの上方で連続的に前後に移動する。これは、プラズマジェット１４５が感光性材料及び／又は基板Ｗのいずれかの部分に入射している間はプラズマジェット１４５が連続的に振動していることを意味し得る。
【０１２７】
[0145]  上記の実施形態の任意のものにおいて、この方法は、感光性材料の少なくとも１つの特性に応じてプラズマジェット１４５の振動の周波数及び／又は振幅を制御することを含む。振動の周波数及び／又は振幅を制御すると、基板Ｗの表面上に残っている感光性材料層５に生成されるエッジの特徴を変化させることができる。例えば、プラズマジェット１４５の振動の周波数及び／又は振幅によって、エッジのフィーチャのピッチ及び深さを変化させることができる。プラズマジェット１４５の振動のこれらの特徴を制御することは、エッジの特性に影響を与え得るので、エッジの効果を考慮に入れるように、例えば、欠陥の発生を低減又は回避させるため基板Ｗ上に生じる欠陥及び／又は水損失を考慮に入れるように制御することができる。このように、プラズマジェット１４５の振動のこれらの特徴を制御することは、少なくとも１つのセンサ及び／又はプロセッサからの何らかのフィードバックに基づいて制御され得る。
【０１２８】
[0146]  一実施形態において、基板Ｗ上に生じた欠陥及び／又は水損失の指示を与えることができる。例えば（図１４に示されているような）測定ユニット１４２は、リソグラフィ装置における基板Ｗの露光後に、基板Ｗ上に生じた欠陥及び／又は水損失を検出及び／又は測定し、基板Ｗ上に生じた欠陥及び／又は水損失の指示を与えることができる。あるいは測定ユニット１４２は、エッジのプロファイルを測定して、基板Ｗ上に生じる欠陥及び／又は水損失の指示を決定／予測することができる。測定ユニット１４２は、オフラインで（すなわち露光後に）使用され、テスト基板Ｗのみを使用する場合がある。測定ユニット１４２は、振動ノズル１０に関して図５に示す測定ユニット８０又は図９に示す測定ユニット９２と同じものであり得る。測定ユニット１４２は、上述の実施形態の任意のものにおいて使用される装置の外部である可能性があり、例えば測定ユニット１４２はリソグラフィ装置の一部であり得る。一実施形態において、測定ユニット１４２は、制御信号をコントローラ１４１に送信するか又は制御信号をコントローラ１４１から受信することができる。図１４において、測定ユニット１４２は、上述した実施形態と通信を行い得る外部ユニットとして図示されている。測定ユニット１４２は、図１５から図１８のいずれかに示されている実施形態と通信を行うように提供されるか、又は図１４に示されている実施形態において通信を行うようには提供されない場合がある。
【０１２９】
[0147]  プラズマジェット１４５に変更が必要であると決定される場合がある。例えば、プラズマジェット１４５の振幅、周波数、及び／又はパワーが変更され得る。コントローラ１４１を用いて必要な変更を決定し、プラズマジェット１４５の特徴を変更することができる。あるいは、コントローラ１４１は、プラズマジェット１４５を制御するための変更を示す入力を測定ユニット１４２から受信することができる。基板Ｗに生じる欠陥及び／又は水損失に対してこの変更が及ぼす効果の指示を、例えば上述の測定ユニット１４２によって与えて、更に変更が望ましいか否かを決定することができる。
【０１３０】
[0148]  一実施形態において、プラズマジェット１４５の振動の周波数を制御することは、周波数を所定の周波数範囲内で制御することを含む。プラズマジェット１４５の振動を所定の範囲内で制御すると、粗いエッジの波長を制御することができる。すなわち、振動の周波数を変化させて粗いエッジの波長を変調／調整することができる。エッジが粗いエッジである場合、上記の比較的大きい渦構造による例に関して上述したように、波長はフィーチャ間の距離である。しかしながら、エッジがパターン付きである場合、波長は、通常理解されるように波の周期の長さに関連する。波長は、連続した対応するポイント間の距離、例えば２つの頂点間の距離、又は２つの谷間の距離を意味すると理解され得る。従って、エッジの形状すなわち円周方向の厚さ変動は、プラズマジェット１４５の振動の周波数を制御することによって変化させると共に制御することができる。これにより、振動の周波数を制御することでエッジの形状に影響を与え、欠陥を低減又は回避することが可能となり得る。一実施形態において、周波数はほぼ約５００ｋＨｚ以下、又は好ましくは約１００ｋＨｚ以下、又は更に好ましくは約５０ｋＨｚ以下である。一実施形態において、周波数はほぼ約５００Ｈｚ以上、又は好ましくは約１ｋＨｚ以上、又は更に好ましくは約１０ｋＨｚ以上である。
【０１３１】
[0149]  一実施形態において、プラズマジェット１４５の振動の周波数は、典型的な波長が約２ｍｍ以下、又は好ましくは約０．５ｍｍ以下、又は更に好ましくは約０．３ｍｍ以下であるように制御される。典型的な波長は平均波長とすることができる。一実施形態において、プラズマジェット１４５の振動の周波数は、典型的な波長が約１０μｍ以上、又は好ましくは約５０μｍ以上、又は更に好ましくは約０．１ｍｍ以上であるように制御される。振動の周波数を制御して、これらの値、特に好ましい値及び更に好ましい値の波長を有する粗いエッジを生成することは、欠陥を低減又は回避できることを意味し得る。
【０１３２】
[0150]  一実施形態において、この方法は、プラズマジェット１４５の振動の振幅を所定の振幅範囲内で制御してエッジの半径方向の幅ＲＷを制御することを含む。プラズマジェット１４５の振幅を所定範囲内で制御すると、エッジの半径方向の幅ＲＷを制御することができる。すなわち、振動の振幅を変化させてエッジの半径方向の幅を変調／調整することができる。従って、エッジの形状は、プラズマジェット１４５の振動の振幅を制御することによって変化させると共に制御することができる。この結果得られるエッジの形状は、プラズマジェット１４５の振動の振幅を制御して欠陥を低減又は回避することを可能とする。
【０１３３】
[0151]  一実施形態において、プラズマジェット１４５の振動の振幅は、半径方向の幅ＲＷが約２ｍｍ以下、又は好ましくは約０．５ｍｍ以下、又は更に好ましくは約０．３ｍｍ以下であるように制御される。一実施形態において、プラズマジェット１４５の振動の振幅は、半径方向の幅ＲＷが約１０μｍ以上、又は好ましくは約５０μｍ以上、又は更に好ましくは約０．１ｍｍ以上であるように制御される。振動の振幅を制御して、これらの値、特に好ましい値及び更に好ましい値の半径方向の幅ＲＷを有するエッジを生成すると、上述のような欠陥を低減又は回避することができる。
【０１３４】
[0152]  一実施形態において、プラズマジェット１４５の振動の振幅はほぼ約２ｍｍ以下、又は好ましくは約０．５ｍｍ以下、又は更に好ましくは約０．３ｍｍ以下である。一実施形態において、プラズマジェット１４５の振動の振幅はほぼ約１０μｍ以上、又は好ましくは約５０μｍ以上、又は更に好ましくは約０．１ｍｍ以上である。
【０１３５】
[0153]  一実施形態において、この方法は、プラズマジェット１４５を所定の周波数で振動させることを含む。この方法は更に、基板Ｗを第１の周波数で回転させることと、プラズマジェット１４５を第２の周波数で振動させることと、を含み得る。基板Ｗを第１の周波数で回転させることは、基板Ｗを基板サポート７上に提供することと、基板Ｗの軸を中心とした基板サポート７の回転を制御することと、を含み得る。この方法は、毎分数百又は数千回転で基板Ｗを回転させることを含み得る。第２の周波数は第１の周波数よりも高くすることができる。第２の周波数は第１の周波数よりも大幅に高くすることができる。この文脈において、大幅に高いとは、第２の周波数が第１の周波数よりも少なくとも１０倍高いこと、又は第２の周波数が第１の周波数よりも少なくとも１００倍高いこと、又は第２の周波数が第１の周波数よりも少なくとも１０００倍高いことを意味し得る。
【０１３６】
[0154]  プラズマデバイスの使用に関連する上記の実施形態の任意のものにおいて、この方法はプラズマデバイス１５０をパルス化することを含み得る。この実施形態は図１５に示されている。言い換えれば、プラズマデバイス１５０からのプラズマジェット１５５は、ある時間期間にわたってプラズマジェット１５５が本質的に「オン」又は「オフ」状態であるという点でパルス状に基板Ｗ及び／又は感光性材料層５に入射する。「オン」状態は、基板Ｗ及び／又は感光性材料層５がプラズマジェット１５５に暴露される時であり、「オフ」状態は、基板Ｗ及び／又は感光性材料層５がプラズマジェット１５５に暴露されない時である。これは、プラズマデバイス１５０から一定のプラズマジェット１５５を提供するが、「オフ」状態期間中はプラズマジェット１５５が基板Ｗの表面及び／又は感光性材料層５に到達するのを阻止することによって制御され得る。例えば、プラズマの通過を可能とする孔を備えた回転ディスクのような物理バリアを用いて、基板Ｗ及び／又は感光性材料層５がプラズマに暴露されるのを防止することができる。
【０１３７】
[0155]  「オン」状態は、上述のようなエッジを適切に生成する任意の周波数で提供することができる。単なる例示であるが、「オン」状態の周波数は、１Ｈｚから数百ｋＨｚ、又はＭＨｚのオーダーであり、例えば約１０ｋＨｚから１ＭＨｚの間とすることができるが、必ずしもそうとは限らない。周波数は、プラズマジェット１５５と基板Ｗ及び／又は感光性材料層５との相対的な移動、プラズマジェット１５５の波長、及びプラズマデバイス１５０のパワーに応じて変動し得る。周波数は、上述のようなエッジを得るように変動させることができる。
【０１３８】
[0156]  この実施形態では、基板Ｗの表面及び／又は感光性材料層５に入射するプラズマジェット１５５を、基板Ｗの表面及び／又は感光性材料層５に対して移動させる。例えば、各パルスの間、又は設定された数のパルスとパルスとの間に相対的な移動があり得る。一実施形態では、プラズマデバイス１５０を基板Ｗに対して移動させる。このようにして、プラズマジェット１５５の異なるパルスが感光性材料の異なる部分に入射し、これにより感光性材料層５の異なる部分を除去すると共にエッジを生成する。
【０１３９】
[0157]  この実施形態において、方法は、感光性材料の少なくとも１つの特性に応じて基板Ｗ及び／又は感光性材料層５上のプラズマジェット１５５のパルス化を制御することを含み得る。物理バリアの移動を制御してプラズマデバイス１５０からのプラズマジェット１５５のパルスを制御するため、コントローラ１５１を提供することができる。コントローラ１５１は前述のコントローラのいずれかと同じものであり得る。コントローラ１５１はプラズマデバイス１５０の外部に図示されているが、コントローラ１５１及び／又は物理バリアはプラズマデバイス１５０と一体化してもよい。
【０１４０】
[0158]  プラズマジェット１５５のパルスを制御して、固定の「オン」及び「オフ」状態を有することができる。プラズマジェット１５５のパルスは一定間隔であり得る。パルス化プラズマジェット１５５の「オン」及び「オフ」状態は同等である、すなわち、プラズマジェット１５５が基板Ｗ及び／又は感光性材料層５に入射する時間量は基板Ｗ及び／又は感光性材料層５に入射しない時間量と同一であり得る。言い換えれば、デューティサイクルは５０％であり得る。プラズマジェット１５５のパルスの周波数は、特定の時間単位において繰り返すパルス数である。言い換えれば、周波数は、特定の時間単位においてプラズマジェット１５５が「オン」状態にされる回数である。基板Ｗの表面及び／又は感光性材料層５がプラズマジェット１５５に暴露される時間量は、プラズマデバイス１５０のパワーに依存し得る。例えば、プラズマデバイス１５０のパワーが低下した場合、プラズマジェット１５５が「オン」状態である時間が長くなり得る。
【０１４１】
[0159]  一実施形態において、基板Ｗ及び／又は感光性材料層５上のプラズマジェット１５５のパルスの周波数を制御することは、周波数を所定の周波数範囲内で制御することを含む。プラズマジェット１５５のパルスの周波数を所定の範囲内で制御すると、エッジの波長を制御することができる。すなわち、周波数を変化させてエッジの波長を変調／調整することができる。波長は、当てはまる場合、粗いエッジ又はパターン付きエッジについて上述したように解釈され得る。従って、エッジの形状は、プラズマジェット１５５のパルスの周波数を制御することによって変化させると共に制御することができる。これにより、パルスの周波数を制御して、欠陥を低減又は回避させ得るようにエッジを整形することが可能となる。一実施形態において、周波数はほぼ約５００ｋＨｚ以下、又は好ましくは約１００ｋＨｚ以下、又は更に好ましくは約５０ｋＨｚ以下である。一実施形態において、周波数はほぼ約５００Ｈｚ以上、又は好ましくは約１ｋＨｚ以上、又は更に好ましくは約１０ｋＨｚ以上である。
【０１４２】
[0160]  一実施形態において、基板Ｗ及び／又は感光性材料層５上のプラズマジェット１５５のパルスの周波数は、典型的な波長が約２ｍｍ以下、又は好ましくは約０．５ｍｍ以下、又は更に好ましくは約０．３ｍｍ以下であるように制御される。典型的な波長は平均波長とすることができる。一実施形態において、基板Ｗ及び／又は感光性材料層５上のプラズマジェット１５５のパルスの周波数は、典型的な波長が約１０μｍ以上、又は好ましくは約５０μｍ以上、又は更に好ましくは約０．１ｍｍ以上であるように制御される。基板Ｗ及び／又は感光性材料層５上のプラズマジェット１５５のパルスの周波数を制御して、これらの値、特に好ましい値及び更に好ましい値の波長を有するエッジを生成することは、欠陥を低減又は回避できることを意味し得る。
【０１４３】
[0161]  この実施形態において、方法は、基板Ｗ及び／又は感光性材料層５上のプラズマジェット１５５を所定の周波数でパルス化することを含む。この方法は更に、基板Ｗを第１の周波数で回転させることと、プラズマジェット１５５を第２の周波数でパルス化することと、を含み得る。基板Ｗを第１の周波数で回転させることは、基板Ｗを基板サポート７上に提供することと、基板Ｗの軸を中心とした基板サポート７の回転を制御することと、を含み得る。この方法は、毎分数百又は数千回転で基板Ｗを回転させることを含み得る。第２の周波数は第１の周波数よりも高くすることができる。第２の周波数は第１の周波数よりも大幅に高くすることができる。この文脈において、大幅に高いとは、第２の周波数が第１の周波数よりも少なくとも１０倍高いこと、又は第２の周波数が第１の周波数よりも少なくとも１００倍高いこと、又は第２の周波数が第１の周波数よりも少なくとも１０００倍高いことを意味し得る。
【０１４４】
[0162]  一実施形態において、この方法は、基板Ｗ及び／又は感光性材料層５に入射するプラズマデバイス１５０からのプラズマジェット１５５の局所化（ｌｏｃａｌｉｓａｔｉｏｎ）（すなわち幅）を所定範囲内で制御して、基板Ｗの表面上に残っている感光性材料層５のエッジの半径方向の幅ＲＷを制御することを含み得る。上述のように、感光性材料層５のエッジの形状、例えばエッジの半径方向の幅ＲＷを制御することは、基板Ｗの表面上の欠陥に影響を及ぼし得るので、上述のエラーを低減させるように制御することができる。これにより、基板Ｗ及び／又は感光性材料層５に入射するプラズマデバイス１５０からのプラズマジェット１５５の幅を制御して、欠陥を軽減又は回避することが可能となる。
【０１４５】
[0163]  一実施形態において、基板Ｗ及び／又は感光性材料層５に入射するプラズマデバイス１５０からのプラズマジェット１５５の幅は、エッジの半径方向の幅ＲＷが約３ｍｍ以下、又は好ましくは約２ｍｍ以下、又は更に好ましくは約０．５ｍｍ以下であるように制御される。一実施形態において、基板Ｗ及び／又は感光性材料層５に入射するプラズマデバイス１５０からのプラズマジェット１５５の幅は、エッジの半径方向の幅ＲＷが約０．０１ｍｍ以上、又は好ましくは約０．０５ｍｍ以上、又は更に好ましくは約０．１ｍｍ以上であるように制御される。基板Ｗ及び／又は感光性材料層５に入射するプラズマデバイス１５０からのプラズマジェット１５５の幅を制御して、これらの値、特に好ましい値及び更に好ましい値の半径方向の幅ＲＷを有するエッジを生成すると、残りの感光性材料層５のエッジに起因する欠陥を低減又は回避することができる。
【０１４６】
[0164]  一実施形態において、基板Ｗに生じた欠陥及び／又は水損失の指示を与えることができる。基板Ｗに生じた欠陥及び／又は水損失の指示は、例えば図１４に示されている実施形態と共に、上述したように測定ユニット１４２を用いて与えることができる。しかしながらこの実施形態では、測定ユニット１４２は、制御信号をコントローラ１５１に送信するか又は制御信号をコントローラ１５１から受信することができる。上述のように測定ユニット１４２から受信した指示を用いることから、プラズマデバイス１５０からのプラズマジェット１５５において、例えばプラズマジェット１５５のパルスの周波数及び／又は強度等の変更が必要であると決定される場合がある。コントローラ１５１を用いて必要な変更を決定し、プラズマジェット１５５の特徴を変更することができる。あるいは、コントローラ１５１は、プラズマジェット１５５を制御するための変更を示す入力を測定ユニット１４２から受信することができる。基板Ｗに生じた欠陥及び／又は水損失に対してこの変更が及ぼす効果の指示を、例えば上述の測定ユニット１４２によって与えて、更に変更が望ましいか否かを決定することができる。
【０１４７】
[0165]  プラズマジェット１５５はプラズマジェット１４５と同一とすることができ、プラズマデバイス１５０はプラズマデバイス１４０と同一とすることができる。このため、振動プラズマジェット１４５を提供するため使用されるプラズマデバイス１４０を用いてパルス化プラズマジェット１５５を提供することも可能である。従ってプラズマジェット１５５は、任意選択的に振動及びパルス化を同時に行うよう構成され得る。
【０１４８】
[0166]  プラズマジェット（すなわち局所プラズマ）に関連する上記の実施形態の任意のものにおいて、この方法は更にパターニングデバイスを提供することを含み得る。この実施形態では、パターニングデバイスを用いて、基板Ｗ及び／又は感光性材料層５に入射するプラズマジェットに何らかの方法でパターンを付与することができる。一実施形態において、プラズマジェットはパターニングデバイスを透過し得る。
【０１４９】
[0167]  一実施形態では、パターニングデバイスを基板Ｗに対して移動させることで、上述のようなエッジを生成できる。例えばパターニングデバイスは、プラズマジェットからの放射を方向転換させるために基板Ｗの外側の周りで移動させることができる。パターニングデバイスは、全てでないが一部のプラズマジェットを基板Ｗ及び／又は感光性材料層５の方へ誘導することができる。
【０１５０】
[0168]  一実施形態において、パターニングデバイスの相対的な移動は、感光性材料の１つ以上の特性に応じて制御され得る。一実施形態において、パターニングデバイスの相対的な移動は、エッジの波長が所望の範囲内となるように制御され得る。波長は、当てはまる場合、粗いエッジ又はパターン付きエッジについて上述したように解釈され得る。一実施形態において、典型的な波長は約２ｍｍ以下、又は好ましくは約０．５ｍｍ以下、又は更に好ましくは約０．３ｍｍ以下である。典型的な波長は平均波長とすることができる。一実施形態において、パターニングデバイスの移動は、典型的な波長が約１０μｍ以上、又は好ましくは約５０μｍ以上、又は更に好ましくは約０．１ｍｍ以上であるように制御される。パターニングデバイスの移動を制御して、これらの値、特に好ましい値及び更に好ましい値の波長を有する上記のようなエッジを生成することは、欠陥を低減又は回避できることを意味し得る。
【０１５１】
[0169]  一実施形態において、パターニングデバイスの相対的な移動は、半径方向の幅ＲＷが約２ｍｍ以下、又は好ましくは約０．５ｍｍ以下、又は更に好ましくは約０．３ｍｍ以下であるように制御される。一実施形態において、パターニングデバイスの相対的な移動は、半径方向の幅ＲＷが約１０μｍ以上、又は好ましくは約５０μｍ以上、又は更に好ましくは約０．１ｍｍ以上であるように制御される。パターニングデバイスの相対的な移動を制御して、これらの値、特に好ましい値及び更に好ましい値の半径方向の幅ＲＷを有する上記のようなエッジを生成すると、上述のような欠陥を低減又は回避することができる。
【０１５２】
[0170]  一実施形態において、パターニングデバイスは整形マスク１６６である。整形マスク１６６は、図１６Ａ及び図１６Ｂでは別個のコンポーネントとして図示されているが、プラズマデバイス１６０の一部として、プラズマデバイス１６０が発するプラズマジェット１６５の形状を画定することも可能である。整形マスク１６６は他の場合に幾何学的マスクと呼ばれることがある。図１６Ａに示されているように、プラズマデバイス１６０は、基板Ｗ及び／又は感光性材料層５が暴露されるプラズマジェット１６５を発する。プラズマジェット１６５は基板Ｗ及び／又は感光性材料層５の方へ誘導され、整形マスク１６６は、整形マスク１６６の特定部分の外側に与えられるプラズマジェット１６５が基板Ｗ及び／又は感光性材料層５に到達することを阻止又は軽減する。
【０１５３】
[0171]  整形マスク１６６は、プラズマジェット１６５の断面に挿入されるマスクとすることができ、例えば、特定の整形孔を通るプラズマジェット１６５のみが基板Ｗに到達するように、この整形孔を通るもの以外のプラズマジェット１６５が基板Ｗ及び／又は感光性材料層５に到達するのを阻止（又は軽減）する。図１６Ａ及び図１６Ｂに、整形マスク１６６を用いたエッジの生成が示されている。図示のように、整形マスク１６６は、プラズマジェット１６５が平面視で三角形の形状に通過することを可能とする。すなわち、プラズマジェット１６５は整形マスク１６６によって整形される。整形マスク１６６は、エッジにおいて所望の厚さプロファイルを達成するため任意の所望の形状とすればよい。整形マスク１６６は、図示されているような単一の形状でなくパターン形状又は繰り返し形状の整形孔を有してもよい。整形マスク１６６は上述のような整形孔を有することができ、孔の大きさは特に限定されない。例えば整形孔は、１０ｓ、１００ｓ、又は１０００ｓ  μｍのオーダーの幅を有し得る。
【０１５４】
[0172]  整形マスク１６６の移動はコントローラ１６１を用いて制御することができる。コントローラ１６１は、上記の実施形態のいずれかに記載されたものと同じタイプの同じコントローラであり得る。プラズマデバイス１６０及びプラズマジェット１６５はそれぞれ、前述した他のプラズマデバイス及びプラズマジェットと同じものであり得る。従って整形マスク１６６は、上記の振動及び／又はパルス化プラズマジェットの実施形態に追加して提供することができる。
【０１５５】
[0173]  エッジを生成するためのプラズマデバイスの使用に関連する上記の実施形態の任意のものにおいて、基板Ｗ及び／又は感光性材料層５に入射するプラズマジェットの断面積、例えばプラズマジェットの幅は、感光性材料層５の少なくとも１つの特性に応じて制御され得る。プラズマジェットを制御すると、基板Ｗの表面に残っている感光性材料層５に生成されるエッジの特徴を変化させることができる。例えば、基板Ｗの表面及び／又は感光性材料層５に入射するプラズマジェットの幅及び／又は強度によって、エッジのフィーチャのピッチ及び深さを変化させる、すなわち、エッジが所望の構造を有するように構造を変化させることができる。この構造は、例えば上述のようなパターニング又はラフネスのために、円周方向及び半径方向の接触角／高さの変動を有し得る。従って、プラズマジェットを制御することは、エッジの特性に影響を与え得るので、エッジの効果を考慮に入れるように、例えば、欠陥の発生を低減又は回避させるため基板Ｗ上に生じる欠陥及び／又は水損失を考慮に入れるように制御することができる。このように、プラズマジェットを制御することは、少なくとも１つのセンサ及び／又はプロセッサからの何らかのフィードバックに基づいて制御され得る。プラズマデバイスの使用に関連する上記の実施形態の任意のものにおいて、プラズマデバイスの位置を制御して、プラズマジェットが基板Ｗに到達する際のプラズマジェットの方向を制御することができる。この位置を制御して、感光性材料層５のどの部分にプラズマジェットが影響を及ぼすかを制御することができる。この位置は、例えばプラズマデバイスを傾けてプラズマジェットの方向を変えることによって制御され得る。これは、基板Ｗの表面及び／又は感光性材料層５に入射するプラズマジェットの形状をわずかに変化させる。
【０１５６】
[0174]  プラズマを用いた上記の実施形態において、表面ラフネスを得るための代替的な方法は、不規則に流れるプラズマ放電を利用することである。このタイプのプラズマ下で基板エッジを回転させると、基板Ｗのエッジにおいて所望のトポグラフィが生じる。従って、例えば図１４〜図１６Ｂのプラズマデバイスを用いて、局所ジェットでなく不規則に流れるプラズマ放電を生成することができる。図１７は、不規則プラズマ１７５、すなわち一様でなく、上述の制御されたジェットのようなプラズマ放電を与えないものを生成するための不規則プラズマデバイス１７０を示す。図示のように、コントローラ１７１を用いて不規則プラズマデバイス１７０を制御することができる。不規則プラズマ１７５は、このタイプのプラズマの不規則な性質のため、エッジに沿った厚さプロファイルの変動を生成できる。従って、不規則に流れるプラズマを使用し、プラズマデバイス１７０の下で基板Ｗを回転させることで、他の実施形態について上述した更なる制御又はパターニングを用いることなく、粗いエッジを生成することができる。
【０１５７】
[0175]  あらゆる場合において、基板Ｗに損傷を与えないよう注意する必要がある。これは、プラズマ特性を調整し、エッジビードを除去するためのプラズマ放電を基板Ｗのエッジに限定することによって達成できる。また、これは、例えば上記の実施形態のいずれかに記載されているノズル又はレーザの使用を含む他の技法を用いた感光性材料の除去にも当てはまる。
【０１５８】
[0176]  上記の実施形態の任意のものにおいて、除去対象のエッジ部分は数回処理される可能性がある。言い換えれば、エッジの同じ部分が、上記のノズル及び／又はレーザ及び／又はプラズマデバイスのいずれかの下を複数回通る可能性がある。このように、上述のノズル及び／又はレーザ及び／又はプラズマデバイスをエッジの同じ部分に対して数回用いて、所望の厚さプロファイルを達成することができる。
【０１５９】
[0177]  レーザビーム又はプラズマジェットに関連する上記の実施形態の任意のものにおいて、レーザビーム（又はプラズマジェット）及び基板Ｗは、機械的手段によって相互に移動させることができる。例えば基板Ｗは、所望のように基板Ｗを変位させる制御システムによって放射ビームに対して移動され得る。あるいは、放射ビームの位置は光学的手段によって移動され得る。例えば、少なくとも１つの圧電アクチュエータを含む手段によって１つ以上のミラーを移動させることができるか、又は、ミラーは所望のように基板Ｗ及び／又は感光性材料層５の領域上で放射ビームをスキャンすることができる。あるいは、放射ビームを光ファイバに結合して基板Ｗの方へ導き、光ファイバ、任意選択的に関連付けられた光学合焦要素、及び基板Ｗを相互に移動させることも可能である。レーザビームと基板Ｗを相互に移動させるため、機械システム又は光学システムを任意の適切な方法で組み合わせてもよい。
【０１６０】
[0178]  振動コンポーネントを含む上記の実施形態の任意のものにおいて、この方法は、基板Ｗに対してノズル、放射ビーム、レーザ、及び／又はプラズマデバイスを振動させるように、より一般的に制御され得る（すなわち、必ずしも、ノズル、放射ビーム、レーザ、及び／又はプラズマデバイスを振動させる必要はない）。従って、ノズル、放射ビーム、レーザ、及びプラズマデバイスの各々は振動できるものとして記載されているが、これらの実施形態は、すでに記載された移動と同等の相対的な移動を保証することによって同じ効果を有することができる。このため、基板Ｗを、ノズル、放射ビーム、レーザ、及び／又はプラズマデバイスと共に又はそれらの代わりに移動させることも可能である。例えば基板サポート７は、基板Ｗを移動させることができる図１に示すコントローラ１２によって制御できる。従って、基板Ｗを振動するように制御し、これによって、上述したノズル、放射ビーム、レーザ、及び／又はプラズマデバイスに対して同じ相対的な移動を与えることができる。
【０１６１】
[0179]  上述し図１に示したように、基板Ｗは基板サポート７によって支持できる。基板サポート７を用いて、必要に応じて基板Ｗの移動を制御することができる。感光性材料層の外縁から感光性材料が除去されている間に基板Ｗが回転する場合、基板Ｗの回転は例えば第１の周波数で制御され得る。このため、上記の実施形態の任意のものにおいて、基板サポート７を制御して基板Ｗのエッジにおける円周方向速度を制御することができる。基板サポート７は、図１に示されているサポートコントローラ１２によって制御され得る。
【０１６２】
[0180]  基板サポート７は、基板Ｗのエッジにおける円周方向速度が約１２ｍ／ｓ以下であるような周波数で基板Ｗを回転させるように構成され得る。好ましくは基板Ｗは、より低い円周方向速度、好ましくは１０ｍ／ｓ以下、又は８ｍ／ｓ以下、又は好ましくはより低い速度を有する速度で回転させる。従って、より一般的には、上記の実施形態の任意のものにおける方法は、約１２ｍ／ｓ以下、好ましくは１０ｍ／ｓ以下、又は更に好ましくは８ｍ／ｓ以下である基板Ｗのエッジにおける円周方向速度を有するように基板Ｗを回転させることを含み得る。例えば直径が３００ｍｍである基板Ｗでは、これは、約７５０ｒｐｍ以下、約６５０ｒｐｍ以下、約５００ｒｐｍ以下、又はより低い回転数で基板Ｗを回転させることに等しい。基板Ｗの直径がより大きい場合、基板Ｗのエッジで好適な円周方向速度を達成するには、より低い回転速度（すなわち低いｒｐｍ）が必要となり得る。このように、基板Ｗの好適なｒｐｍは基板Ｗの大きさすなわち基板Ｗの直径に依存する。
【０１６３】
[0181]  従って、感光性材料が除去される基板Ｗと、例えば（上述した）ノズル、レーザ、又はプラズマデバイスのいずれかを用いてこの除去を実行するコンポーネントとの間の相対速度を制御することができる。上述のように基板Ｗの回転速度を低下させることは、膜引張りを低減できる利点を有する。基板Ｗの速度の低下により、感光性材料のエッジの長さに沿った厚さプロファイルの変動が生じ、これによって感光性材料層５のエッジに沿ったラフネス増大が得られる。基板Ｗの回転速度を低下させることにより、例えば膜引張り向上のような、すでに述べたものと同じ有利な効果を有する上述の粗いエッジを達成できる。基板Ｗの回転速度に下限はない。しかしながら一般的には、所与の時間期間内にできる限り多くの基板Ｗを生成するため、基板Ｗをできる限り迅速に処理することが好ましい。従って基板Ｗを回転させる速度は、適切な処理時間を維持することと、上述の利点を与えるため基板Ｗの回転速度を低下させることとの間の妥協点である。
【０１６４】
[0182]  粗いエッジを生成するため上述のコンポーネントに従って基板Ｗの回転速度を制御することだけでなく、感光性材料層５の外縁から感光性材料を除去するための以前から既知の方法を使用すると共に基板Ｗの回転速度を低下させて、エッジに沿った厚さプロファイルの変動を生成することも可能である。言い換えれば、例えば従来のノズルを使用すると共に基板Ｗの回転速度を上述の値まで低下させることで、エッジの長さに沿った厚さプロファイルの変動を生成するようにノズルに対する基板Ｗの速度を変えることによって除去を制御できる。このように、以前から既知のエッジ除去技法を用いた場合であっても、基板Ｗの回転速度の低下によって、粗いエッジとしてエッジを生成することができる。
【０１６５】
[0183]  一実施形態において、基板Ｗを処理するための装置６０を提供することができる。装置６０は図１８に示されている。装置６０は、上記の実施形態の任意のものに記載されている方法を実行するように提供され得る。より詳細には、基板Ｗの表面上に感光性材料層５を備えた基板Ｗを支持するように構成された基板サポートシステム７０と、感光性材料層５の外縁から感光性材料を除去するように構成された基板エッジ処理ユニット５０と、を備える、基板Ｗを処理するための装置６０を提供することができる。基板エッジ処理ユニット５０は、感光性材料を除去する場合、基板Ｗの表面上に残っている感光性材料層５に半径方向の幅ＲＷを有するエッジを生成するように構成されている。感光性材料は、厚さが変動することにより半径方向の幅における厚さプロファイルを形成する。エッジの長さに沿った厚さプロファイルの変動を生成するように除去を制御できる。除去を制御して粗いエッジを生成することができ、この粗いエッジは、上記のようにエッジの長さに沿って厚さプロファイルの変動を有し得るか、あるいはエッジの長さに沿って均一な厚さプロファイルを有する。基板サポートシステム７０は上述のような基板サポート７を含み得る。
【０１６６】
[0184]  一実施形態において、基板エッジ処理ユニット５０は粗いエッジを生成するように構成されている。上述のように、円周方向において、すなわちエッジの長さに沿って、粗いエッジは均一であるか又は非均一であり得る。この実施形態において、基板エッジ処理ユニット５０は、感光性材料層５の外縁の感光性材料層５上に溶剤１５をスプレーするように構成されたノズル１０を含み得る。ノズル１０は、粗いエッジを生成するように溶剤１５をスプレーする場合に振動するよう構成できる。あるいはこの実施形態において、感光性材料を除去するように構成されている基板エッジ処理ユニット５０は、基板エッジ処理ユニット５０が、感光性材料層５の外縁から一部の感光性材料だけを除去するように構成されていることを含み、基板エッジ処理ユニット５０は、粗いエッジを生成するように残りの感光性材料層５の周りから更に感光性材料を除去するため溶剤２５の液滴をスプレーするように構成されたノズル２０を備えている。
【０１６７】
[0185]  一実施形態において、基板エッジ処理ユニット５０はパターン付きエッジを生成するように構成されている。
【０１６８】
[0186]  一実施形態において、基板エッジ処理ユニット５０は、エッジ及び／又は粗いエッジの長さに沿った厚さプロファイルの変動を有するエッジを生成するように、感光性材料層５の外縁の感光性材料層５に放射（例えば放射ビーム９５、１０５、１１５、１２５、及び／又は１３５）を誘導するように構成されたレーザ（例えばレーザ９０、１００、１１０、１２０、及び／又は１３０のうち任意のもの）を備えている。レーザの使用は、エッジの長さに沿った厚さプロファイルの変動を有する上述の粗いエッジ又はパターン付きエッジを提供することができる。この実施形態において、レーザ９０は、感光性材料層５に放射を誘導する場合に振動するよう構成できる。この実施形態において、レーザ１００は、感光性材料層５に放射を誘導する場合にパルス化するよう構成できる。この実施形態において、装置は更にパターニングデバイスを備えることができ、基板エッジ処理ユニット５０は、放射をパターニングデバイス上に又はパターニングデバイスを通るように誘導するよう構成されている。この実施形態においてパターニングデバイスは、透過型又は反射型パターン付きマスク１１６、透過型回折格子１２６、及び／又は反射型回折格子１３６を含み得る。
【０１６９】
[0187]  一実施形態において、基板エッジ処理ユニット５０は、エッジ及び／又は粗いエッジの長さに沿った厚さプロファイルの変動を有するエッジを生成するように、感光性材料層５の外縁の感光性材料層５にプラズマジェット（例えばプラズマジェット１４５、１５５、１６５、及び／又は１７５）を誘導するように構成されたプラズマデバイス（例えばプラズマデバイス１４０、１５０、１６０、及び／又は１７０のいずれか）を備えている。プラズマデバイスの使用は、エッジの長さに沿った厚さプロファイルの変動を有する上述の粗いエッジ又はパターン付きエッジを提供することができる。この実施形態において、プラズマデバイス１４０は、感光性材料層５にプラズマジェット１４５を誘導する場合に振動するよう構成できる。この実施形態において、プラズマデバイス１５０は、感光性材料層５にプラズマジェット１５５を誘導する場合にパルス化するよう構成できる。この実施形態において、装置は更にパターニングデバイス１６６を備えることができ、基板エッジ処理ユニット５０は、プラズマジェット１６５を、パターニングデバイス１６６を通るように誘導するよう構成されている。
【０１７０】
[0188]  装置６０は更に、上述のようなコントローラ（１１、２１、９１、１０１、１１１、１２１、１３１、１４１、１５１、１６１、及び／又は１７１）のうち任意のものを備え得る。装置６０は更に、エッジ処理ユニットと共に使用するため、上述の測定ユニット８０、９２、１４２を含むか又はこれらと通信を行うことができる。
【０１７１】
[0189]  上記の実施形態の任意のものにおいて、基板Ｗは、感光性材料層５が上に配置されている基板Ｗの表面上に、材料の複数の層（又は１つの層）を含み得る。そのような材料層は、形成中であるか、又は任意選択として一時的である基板Ｗ上のコーティングであるので、基板Ｗの一部であり得る。これらの材料層は、上記の実施形態の任意のものに記載されている基板Ｗの一部と見なされる。
【０１７２】
[0190]  上記の実施形態の任意のものにおいて、エッジの長さに沿った厚さプロファイルの変動を有するエッジは、残りの感光性材料層５のエッジ全体には生成されない場合がある。例えば、感光性材料層５のエッジの全周にわたってエッジに沿った厚さプロファイルの変動を有するわけではない場合がある。例えば、残りの感光性材料層５の円周における特定の位置又は所定の位置に、エッジの長さに沿った厚さプロファイルの変動を有するエッジを生成することが有益であり得る。例えば、エッジの長さに沿った厚さプロファイルの変動を有するエッジは、液体閉じ込め構造ＩＨが感光性材料層５のエッジ上を通り過ぎるエッジの位置にのみ提供され得る。これと同じことが、エッジの長さに沿って均一であるがエッジの特定の部分にだけ適用され得る粗いエッジにも当てはまる。
【０１７３】
[0191]  一実施形態において、これは、残りの感光性材料層５の所定の部分の上で振動ノズル１０を連続的に振動させると共に、残りの感光性材料層５の他の部分の上で振動ノズル１０を振動させないことによって、制御され得る。一実施形態において、これは、残りの感光性材料層５の所定の部分に振動ノズル１０及び／又はノズル２０からの溶剤１５、２５をスプレーすると共に、残りの感光性材料層５の他の部分に振動ノズル１０及び／又はノズル２０からの溶剤１５、２５をスプレーしないことによって、制御され得る。一実施形態において、これは、残りの感光性材料層５の所定の部分の上でレーザ９０からの放射ビーム９５を振動させると共に、残りの感光性材料層５の他の部分の上で放射ビーム９５を振動させないことによって、制御され得る。一実施形態において、これは、残りの感光性材料層５の所定の部分で、上述のレーザ（９０、１００、１１０、１２０、１３０）のいずれかからの放射ビーム（９５、１０５、１１５、１２５、１３５）を基板Ｗに入射させると共に、残りの感光性材料層５の他の部分では放射ビーム（９５、１０５、１１５、１２５、１３５）を入射させないことによって、制御され得る。一実施形態において、これは、残りの感光性材料層５の所定の部分で、上述のプラズマデバイス（１４０、１５０、１６０、１７０）のいずれかからのプラズマジェット（１４５、１５５、１６５、１７５）を基板Ｗに入射させると共に、残りの感光性材料層５の他の部分ではプラズマジェット（１４５、１５５、１６５、１７５）を入射させないことによって、制御され得る。
【０１７４】
[0192]  本明細書に記載されている装置はリソグラフィ装置において使用され得る。上述の方法の任意のものから得られた基板Ｗはリソグラフィ装置において使用され得る。
【０１７５】
[0193]  本明細書に記載されているリソグラフィ装置は、例えば集積光学システム、磁気ドメインメモリ用ガイダンス及び検出パターン、フラットパネルディスプレイ、液晶ディスプレイ（ＬＣＤ）、薄膜磁気ヘッド等の製造のような他の用途を有し得る。こうした代替的な用途に照らして、本明細書で「ウェーハ」又は「ダイ」という用語を使用している場合、それぞれ「基板」又は「ターゲット部分」という、より一般的な用語と同義と見なされ得ることは、当業者には認識されよう。本明細書で言及される基板は、露光前又は露光後に、例えばトラック（通常は感光性材料層５を基板Ｗに塗布し、露光した感光性材料を現像するツール）、メトロロジーツール、及び／又はインスペクションツールで処理することができる。適宜、本明細書の開示は、そのような基板処理ツール及びその他の基板処理ツールに適用することができる。更に、基板Ｗは、例えば多層ＩＣを生成するために複数回処理することができ、従って本明細書で使用する基板Ｗという用語は、すでに複数の処理済み層を含む基板も指すことができる。
【０１７６】
[0194]  上記では光学リソグラフィの文脈における実施形態の使用に特に言及しているが、実施形態は、例えばインプリントリソグラフィのような他の用途にも使用することができ、文脈上許される場合は光学リソグラフィに限定されないことは認められよう。インプリントリソグラフィでは、パターンを形成するためのデバイス内のトポグラフィが、基板Ｗ上に作成されるパターンを画定する。パターンを形成するためのデバイスのトポグラフィは、基板Ｗに供給された感光性材料層５内に刻印する（ｐｒｅｓｓ  ｉｎｔｏ）ことができ、電磁放射、熱、圧力、又はそれらの組み合わせを適用することで感光性材料を硬化させる。感光性材料が硬化した後、パターンを形成するためのデバイスは感光性材料から取り除かれ、パターンが残される。
【０１７７】
[0195]  本明細書における表現又は用語は限定でなく記載のためのものであるので、本明細書の表現又は用語は、当業者によって本明細書の教示の観点から解釈されるべきであることは理解されよう。
【０１７８】
[0196]  本明細書に記載される実施形態において、「レンズ」及び「レンズ要素」という用語は、文脈上許される場合、屈折、反射、磁気、電磁気、及び静電気型の光学コンポーネントを含む様々なタイプの光学コンポーネントのいずれか１つ又はいずれかの組み合わせを指すことができる。
【０１７９】
[0197]  更に、本明細書で使用される「放射」及び「ビーム」という用語は、紫外線（ＵＶ）放射（例えば３６５ｎｍ、２４８ｎｍ、１９３ｎｍ、１５７ｎｍ、もしくは１２６ｎｍの波長λを有する）、極端紫外線（ＥＵＶもしくは軟Ｘ線）放射（例えば１３．５ｎｍ等、５〜２０ｎｍの範囲内の波長を有する）、又は５ｎｍ未満で作動する硬Ｘ線、及びイオンビームもしくは電子ビームのような粒子ビームを含む、あらゆるタイプの電磁放射を包含する。一般に、約４００〜約７００ｎｍの波長を有する放射は可視放射と見なされる。約７８０〜３０００ｎｍ（又はそれ以上）の波長を有する放射はＩＲ放射と見なされる。ＵＶとは、約１００〜４００ｎｍの波長を有する放射を指す。リソグラフィ内では、「ＵＶ」という用語は、水銀放電ランプによって生成可能な波長、すなわちＧ線４３６ｎｍ、Ｈ線４０５ｎｍ、及び／又はＩ線３６５ｎｍにも適用される。真空ＵＶ、又はＶＵＶ（すなわちガスにより吸収されるＵＶ）とは、約１００〜２００ｎｍの波長を有する放射を指す。深紫外線（ＤＵＶ）とは、一般に１２６ｎｍ〜４２８ｎｍまでの範囲の波長を有する放射を指し、一実施形態においては、エキシマレーザが、リソグラフィ装置内で用いられるＤＵＶ放射を生成することができる。例えば５〜２０ｎｍの範囲の波長を有する放射は、少なくとも一部が５〜２０ｎｍの範囲内に収まる一定の波長帯域を有する放射に関連することは認められよう。
【０１８０】
[0198]  本明細書で使用される「基板」という言葉は一般に、その上に以降の材料層が追加される材料を記述する。実施形態において、基板Ｗ自体にパターンが付与されると共に、その上に追加された材料もパターンが付与される場合があり、又はパターン付与されないままの場合もある。
【０１８１】
[0199]  具体的な実施形態について上述したが、実施形態は記載されたもの以外にも実施され得ることは認められよう。記載は本発明を限定することは意図していない。
【０１８２】
[0200]  上記の記載は限定でなく例示を意図している。このため、以下に述べる特許請求の範囲から逸脱することなく、上述した本発明に変更を加え得ることは当業者には認められよう。
【０１８３】
[0201]  「詳細な説明」は、特許請求の範囲を解釈するため使用することが意図されているが、「発明の概要」及び「要約書」はそうでないことは認められよう。「発明の概要」及び「要約書」は、本発明者（複数の本発明者）によって想定される例示的な実施形態の全てではないが１つ以上を記述し得るものであり、従って、本発明及び添付の特許請求の範囲を限定することは全く意図していない。
【０１８４】
[0202]  実施形態は、指定された機能及びそれらの関係の実施を示す機能構築ブロックを利用して記載されている。これらの機能構築ブロックの境界は、説明の便宜上、本明細書において任意に画定されている。指定された機能及びそれらの関係が適切に実行される限り、代替的な境界を画定することができる。
【０１８５】
[0203]  特定の実施形態に関する以上の説明は本発明の全体的な性質を充分に明らかにしているので、当技術分野の知識を適用することにより、過度の実験をせず、本発明の全体的な概念から逸脱することなく、このような特定の実施形態を様々な用途向けに容易に変更及び／又は適合させることができる。従って、そのような適合及び変更は、本明細書に提示される教示及び案内に基づき、開示される実施形態の均等物（ｅｑｕｉｖａｌｅｎｔｓ）の意味及び範囲内に入ることが意図される。本明細書における表現又は用語は限定でなく記載のためのものであるので、本明細書の表現又は用語は、当業者によって本明細書の教示の観点から解釈されるべきであることは理解されよう。
【０１８６】
[0204]  本発明の広さ（ｂｒｅａｄｔｈ）及び範囲は、上述した例示的な実施形態のいずれによっても限定されるものでなく、以下の特許請求の範囲及びそれらの均等物に従ってのみ規定されるべきである。
【０１８７】
[0205]  実施形態に従ったリソグラフィ装置の機構を表す条項を以下に列挙する。
【０１８８】
条項１．基板を処理する方法であって、
基板の表面上に感光性材料層を有する基板を提供することと、
感光性材料層の外縁から感光性材料を除去することと、基板の表面上に残っている感光性材料層に、半径方向の幅を有するエッジを生成するように除去を制御することと、を含み、感光性材料は、厚さが変動することにより半径方向の幅における厚さプロファイルを形成し、除去は、エッジの長さに沿った厚さプロファイルの変動を生成するように制御される、方法。
【０１８９】
条項２．エッジは粗いエッジである、条項１に記載の方法。
【０１９０】
条項３．感光性材料層の外縁から感光性材料を除去することは、ノズルを用いて感光性材料層の外縁の感光性材料層に溶剤をスプレーすることと、粗いエッジを生成するように溶剤をスプレーする場合にノズルを振動させることと、を含む、条項２に記載の方法。
【０１９１】
条項４．基板を第１の周波数で回転させることと、ノズルを第２の周波数で振動させることと、を更に含み、第２の周波数は第１の周波数よりも大幅に高い、条項３に記載の方法。
【０１９２】
条項５．ノズルは実質的に半径方向に振動する、条項３又は４に記載の方法。
【０１９３】
条項６．感光性材料の少なくとも１つの特性に応じてノズルの振動の周波数及び／又は振幅を制御することを含む、条項３から５のいずれか１項に記載の方法。
【０１９４】
条項７．ノズルの振動の周波数を所定の周波数範囲内で制御して粗いエッジの波長を制御することを含む、条項３から６のいずれか１項に記載の方法。
【０１９５】
条項８．所定の周波数範囲は約５００Ｈｚから５００ｋＨｚであるか、又は好ましくは所定の周波数範囲は約１ｋＨｚから１００ｋＨｚであるか、又は更に好ましくは所定の周波数範囲は約１０ｋＨｚから５０ｋＨｚである、条項７に記載の方法。
【０１９６】
条項９．ノズルの振動の周波数は、波長が約１０μｍから２ｍｍ、又は好ましくは約５０μｍから０．５ｍｍ、又は更に好ましくは約０．１ｍｍから０．３ｍｍであるように制御される、条項７又は８に記載の方法。
【０１９７】
条項１０．ノズルの振動の振幅を所定の振幅範囲内で制御して粗いエッジの半径方向の幅を制御することを含む、条項３から９のいずれか１項に記載の方法。
【０１９８】
条項１１．所定の振幅範囲は、半径方向の幅が約１０μｍから２ｍｍ、又は好ましくは約５０μｍから０．５ｍｍ、又は更に好ましくは約０．１ｍｍから０．３ｍｍであるように制御される、条項１０に記載の方法。
【０１９９】
条項１２．ノズルはエッジ除去ノズルである、条項３から１１のいずれか１項に記載の方法。
【０２００】
条項１３．除去することは、感光性材料層の外縁の感光性材料を除去するための初期除去ステップを含み、更に、粗いエッジを生成するように、ノズルから溶剤をスプレーして残りの感光性材料層の周りから更に感光性材料を除去することを含む、条項２に記載の方法。
【０２０１】
条項１４．ノズルからの溶剤のスプレーの幅を所定の範囲内で制御して、基板の表面上に残っている感光性材料層の粗いエッジの半径方向の幅を制御することを含む、条項１３に記載の方法。
【０２０２】
条項１５．ノズルからの溶剤のスプレーの幅の所定の範囲は、半径方向の幅が約０．０１ｍｍから３ｍｍ、又は好ましくは約０．０５ｍｍから２ｍｍ、又は更に好ましくは約０．１ｍｍから０．５ｍｍであるように制御される、条項１４に記載の方法。
【０２０３】
条項１６．ノズルによってスプレーされている溶剤から感光性材料層の一部を保護するためのバリアを提供することを更に含む、条項１３から１５のいずれか１項に記載の方法。
【０２０４】
条項１７．バリアは物理的要素を含む、条項１６に記載の方法。
【０２０５】
条項１８．バリアは流体ジェットを含み、流体ジェットに使用される流体は感光性材料層のための溶剤ではない、条項１６に記載の方法。
【０２０６】
条項１９．スプレーするステップは溶剤の液滴をスプレーすることを含む、条項１３から１８のいずれか１項に記載の方法。
【０２０７】
条項２０．スプレーするステップは溶剤の液滴を含むエアロゾルをスプレーすることを含む、条項１３から１８のいずれか１項に記載の方法。
【０２０８】
条項２１．ノズルからの溶剤の液滴の平均直径を所定の平均直径範囲内で制御して、基板の表面上に残っている感光性材料層の外縁のラフネスエッジを制御することを含む、条項１９又は２０に記載の方法。
【０２０９】
条項２２．ノズルからの溶剤の液滴の所定の平均直径範囲は約１ミクロンから０．２ｍｍ、又は好ましくは約５μｍから５０μｍ、又は更に好ましくは約１０μｍから３０μｍである、条項２１に記載の方法。
【０２１０】
条項２３．ノズルはソニックノズル又は超音波ノズルである、条項３から２２のいずれか１項に記載の方法。
【０２１１】
条項２４．エッジはパターン付きエッジである、条項１に記載の方法。
【０２１２】
条項２５．パターン付きエッジはエッジの長さに沿って実質的に均一なパターンを有し、好ましくはパターンはエッジの長さに沿って正弦波、三角波、方形波、又は矩形波である、条項２４に記載の方法。
【０２１３】
条項２６．感光性材料層の外縁から感光性材料を除去することは、レーザからの放射を感光性材料層の外縁の感光性材料に入射するように誘導することを含む、条項１、２、２４、及び２５のいずれか１項に記載の方法。
【０２１４】
条項２７．除去することは、感光性材料層の外縁の感光性材料を除去するための初期除去ステップを含み、更に、エッジを生成するように、レーザからの放射を感光性材料に入射するよう誘導して残りの感光性材料層の周りから更に感光性材料を除去することを含む、条項１、２、２４、及び２５のいずれか１項に記載の方法。
【０２１５】
条項２８．エッジを生成するように感光性材料に対する放射の入射を振動させることを更に含む、条項２６又は２７に記載の方法。
【０２１６】
条項２９．基板を第１の周波数で回転させることと、感光性材料に対する放射の入射を第２の周波数で振動させることと、を更に含み、第２の周波数は第１の周波数よりも大幅に高い、条項２８に記載の方法。
【０２１７】
条項３０．感光性材料に対する放射の入射は実質的に半径方向に振動する、条項２８又は２９に記載の方法。
【０２１８】
条項３１．感光性材料の少なくとも１つの特性に応じて感光性材料に対する放射の入射の振動の周波数及び／又は振幅を制御することを含む、条項２８から３０のいずれか１項に記載の方法。
【０２１９】
条項３２．感光性材料に対する放射の入射の振動の周波数を所定の周波数範囲内で制御してエッジの波長を制御することを含む、条項２８から３１のいずれか１項に記載の方法。
【０２２０】
条項３３．所定の周波数範囲は約５００Ｈｚから５００ｋＨｚであるか、又は好ましくは所定の周波数範囲は約１ｋＨｚから１００ｋＨｚであるか、又は更に好ましくは所定の周波数範囲は約１０ｋＨｚから５０ｋＨｚである、条項３２に記載の方法。
【０２２１】
条項３４．感光性材料に対する放射の入射の振動の周波数は、波長が約１０μｍから２ｍｍ、又は好ましくは約５０μｍから０．５ｍｍ、又は更に好ましくは約０．１ｍｍから０．３ｍｍであるように制御される、条項３２又は３３に記載の方法。
【０２２２】
条項３５．感光性材料に対する放射の入射の振動の振幅を所定の振幅範囲内で制御してエッジの半径方向の幅を制御することを含む、条項２８から３４のいずれか１項に記載の方法。
【０２２３】
条項３６．所定の振幅範囲は、半径方向の幅が約１０μｍから２ｍｍ、又は好ましくは約５０μｍから０．５ｍｍ、又は更に好ましくは約０．１ｍｍから０．３ｍｍであるように制御される、条項３５に記載の方法。
【０２２４】
条項３７．レーザからの放射ビームをパルス化することを更に含み、エッジを生成するように、感光性材料に入射するパルス化放射ビームを感光性材料に対して移動させる、条項２６から３６のいずれか１項に記載の方法。
【０２２５】
条項３８．基板を第１の周波数で回転させることと、レーザを第２の周波数でパルス化することと、を更に含み、第２の周波数は第１の周波数よりも大幅に高い、条項３７に記載の方法。
【０２２６】
条項３９．感光性材料の少なくとも１つの特性に応じてレーザのパルスの周波数を制御することを更に含む、条項３７に記載の方法。
【０２２７】
条項４０．レーザのパルスの周波数を所定の周波数範囲内で制御してエッジの波長を制御することを含む、条項３７又は３８に記載の方法。
【０２２８】
条項４１．所定の周波数範囲は約５００Ｈｚから５００ｋＨｚであるか、又は好ましくは所定の周波数範囲は約１ｋＨｚから１００ｋＨｚであるか、又は更に好ましくは所定の周波数範囲は約１０ｋＨｚから５０ｋＨｚである、条項３９に記載の方法。
【０２２９】
条項４２．レーザのパルスの周波数は、波長が約１０μｍから２ｍｍ、又は好ましくは約５０μｍから０．５ｍｍ、又は更に好ましくは約０．１ｍｍから０．３ｍｍであるように制御される、条項３９又は４０に記載の方法。
【０２３０】
条項４３．レーザのパルスは、半径方向の幅が約１０μｍから２ｍｍ、又は好ましくは約５０μｍから０．５ｍｍ、又は更に好ましくは約０．１ｍｍから０．３ｍｍであるように制御される、条項４１に記載の方法。
【０２３１】
条項４４．パターニングデバイスを提供することと、エッジを生成するようにパターニングデバイスから反射するよう又はパターニングデバイスを通過するよう放射を誘導することと、を更に含む、条項２６又は２７に記載の方法。
【０２３２】
条項４５．エッジを生成するように基板に対してパターニングデバイスを移動させることを更に含む、条項４３に記載の方法。
【０２３３】
条項４６．パターニングデバイスの相対的な移動は感光性材料の少なくとも１つの特性に応じて制御される、条項４３又は４４のいずれか１項に記載の方法。
【０２３４】
条項４７．パターニングデバイスの相対的な移動は、エッジの波長が約１０μｍから２ｍｍ、又は好ましくは約５０μｍから０．５ｍｍ、又は更に好ましくは約０．１ｍｍから０．３ｍｍであるように制御される、条項４３から４５のいずれか１項に記載の方法。
【０２３５】
条項４８．パターニングデバイスの相対的な移動はエッジの半径方向の幅を制御するため制御され、半径方向の幅は約１０μｍから２ｍｍ、又は好ましくは約５０μｍから０．５ｍｍ、又は更に好ましくは約０．１ｍｍから０．３ｍｍである、条項４３から４６のいずれか１項に記載の方法。
【０２３６】
条項４９．パターニングデバイスは、透過型パターン付きマスク、反射型パターン付きマスク、又は整形マスクを含む、条項４３から４７のいずれか１項に記載の方法。
【０２３７】
条項５０．パターニングデバイスは透過型回折格子を含む、条項４３から４７のいずれか１項に記載の方法。
【０２３８】
条項５１．透過型回折格子は、スリット間に所定の距離を有する複数のスリットを備えた少なくとも１つの表面を含み、所定の距離は感光性材料の少なくとも１つの特性に応じて選択される、条項４９に記載の方法。
【０２３９】
条項５２．パターニングデバイスは反射型回折格子を含む、条項４３から４７のいずれか１項に記載の方法。
【０２４０】
条項５３．反射型回折格子は、溝間に所定の距離を有する複数の溝を備えた少なくとも１つの表面を含み、所定の距離は感光性材料の少なくとも１つの特性に応じて選択される、条項５１に記載の方法。
【０２４１】
条項５４．感光性材料に入射する放射の断面積は、エッジの半径方向の幅が約１０μｍから２ｍｍ、又は好ましくは約５０μｍから０．５ｍｍ、又は更に好ましくは約０．１ｍｍ  から０．３ｍｍであるように制御される、条項２６から５２のいずれか１項に記載の方法。
【０２４２】
条項５５．基板を処理するための装置であって、
表面上に感光性材料層を含む基板を支持するように構成された基板サポートシステムと、
感光性材料層の外縁から感光性材料を除去するように構成されている基板エッジ処理ユニットと、を備え、基板エッジ処理ユニットは、基板の表面上に残っている感光性材料層に、半径方向の幅を有するエッジを生成するよう除去を制御するように構成され、感光性材料は、厚さが変動することにより半径方向の幅における厚さプロファイルを形成し、基板エッジ処理ユニットは、エッジの長さに沿った厚さプロファイルの変動を制御するよう除去を制御するように構成されている、装置。
【０２４３】
条項５６．基板エッジ処理ユニットは粗いエッジを生成するように構成されている、条項５５に記載の装置。
【０２４４】
条項５７．感光性材料層の外縁の感光性材料層に溶剤をスプレーように構成されたノズルを備え、ノズルは、粗いエッジを生成するよう溶剤をスプレーする場合に振動するように構成されている、条項５６に記載の装置。
【０２４５】
条項５８．感光性材料を除去するように構成されている基板エッジ処理ユニットは、基板エッジ処理ユニットが、感光性材料層の外縁から少なくとも一部の感光性材料を除去するように構成されていることを含み、基板エッジ処理ユニットは、粗いエッジを生成するように残りの感光性材料層の周りから更に感光性材料を除去するため溶剤の液滴をスプレーするように構成されたノズルを備える、条項５６に記載の装置。
【０２４６】
条項５９．基板エッジ処理ユニットはパターン付きエッジを生成するように構成されている、条項５５に記載の装置。
【０２４７】
条項６０．基板エッジ処理ユニットは、エッジを生成するように、感光性材料層の外縁の感光性材料層に放射を誘導するように構成されたレーザを備える、条項５５、５６、及び５９のいずれか１項に記載の装置。
【０２４８】
条項６１．レーザは、感光性材料層に放射を誘導する場合に振動するように構成されている、条項６０に記載の装置。
【０２４９】
条項６２．レーザは、感光性材料層に放射を誘導する場合にパルス化するように構成されている、条項６０に記載の装置。
【０２５０】
条項６３．パターニングデバイスを更に備え、基板エッジ処理ユニットは、放射をパターニングデバイス上に又はパターニングデバイスを通るように誘導するよう構成されている、条項６０に記載の装置。
【０２５１】
条項６４．パターニングデバイスは透過型又は屈折型のパターン付きマスクである、条項６３に記載の装置。
【０２５２】
条項６５．パターニングデバイスは透過型回折格子である、条項６３に記載の装置。
【０２５３】
条項６６．パターニングデバイスは反射型回折格子である、条項６３に記載の装置。
【０２５４】
条項６７．条項５５から６６のいずれか１項に記載の装置を備えたリソグラフィ装置。
【図１】
2019506730.tif 000003
【図２】
2019506730.tif 000004
【図３Ａ】
2019506730.tif 000005
【図３Ｂ】
2019506730.tif 000006
【図３Ｃ】
2019506730.tif 000007
【図３Ｄ】
2019506730.tif 000008
【図４Ａ】
2019506730.tif 000009
【図４Ｂ】
2019506730.tif 000010
【図４Ｃ】
2019506730.tif 000011
【図４Ｄ】
2019506730.tif 000012
【図４Ｅ】
2019506730.tif 000013
【図５】
2019506730.tif 000014
【図６】
2019506730.tif 000015
【図７】
2019506730.tif 000016
【図８】
2019506730.tif 000017
【図９】
2019506730.tif 000018
【図１０】
2019506730.tif 000019
【図１１Ａ】
2019506730.tif 000020
【図１１Ｂ】
2019506730.tif 000021
【図１２Ａ】
2019506730.tif 000022
【図１２Ｂ】
2019506730.tif 000023
【図１３Ａ】
2019506730.tif 000024
【図１３Ｂ】
2019506730.tif 000025
【図１４】
2019506730.tif 000026
【図１５】
2019506730.tif 000027
【図１６Ａ】
2019506730.tif 000028
【図１６Ｂ】
2019506730.tif 000029
【図１７】
2019506730.tif 000030
【図１８】
2019506730.tif 000031
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
基板を処理する方法であって、
基板の表面上に感光性材料層を有する前記基板を提供するステップと、
前記感光性材料層の外縁から感光性材料を除去する後続のステップと、
前記基板の前記表面上に残っている前記感光性材料層にエッジを生成するように前記感光性材料の前記除去を制御することと、を含み、前記エッジは半径方向の幅を有し、前記基板の前記表面上に残っている前記感光性材料は、前記エッジの前記半径方向の幅における厚さが変動することにより厚さプロファイルを形成し、
前記除去は、前記エッジの長さに沿った前記厚さプロファイルの変動を生成するように制御される、方法。
【請求項２】
前記エッジは粗いエッジである、請求項１に記載の方法。
【請求項３】
前記エッジはパターン付きエッジである、請求項１に記載の方法。
【請求項４】
基板を処理する方法であって、
基板の表面上に感光性材料層を有する前記基板を提供するステップと、
前記感光性材料層の外縁から感光性材料を除去する後続のステップと、
前記基板の前記表面上に残っている前記感光性材料層に粗いエッジを生成するように前記感光性材料の前記除去を制御することと、
を含む、方法。
【請求項５】
前記感光性材料層の前記外縁から感光性材料を除去する前記ステップは、ノズルを用いて前記感光性材料層の前記外縁の前記感光性材料層に流体をスプレーすることと、前記粗いエッジを生成するように前記流体をスプレーする場合に前記ノズル及び／又は前記基板を振動させることと、を含む、請求項２又は４に記載の方法。
【請求項６】
前記感光性材料層の前記外縁から感光性材料を除去する前記ステップは、
前記感光性材料層の前記外縁の感光性材料を除去するための初期除去ステップと、
前記粗いエッジを生成するように、ノズルから流体をスプレーして残りの感光性材料層の周りから更に感光性材料を除去し、前記流体をスプレーする場合に前記ノズル及び／又は前記基板を振動させる後続の除去ステップと、を含む、請求項２又は４に記載の方法。
【請求項７】
前記感光性材料層の前記外縁から前記感光性材料を除去する前記ステップは、レーザからの放射を前記感光性材料層の前記外縁の前記感光性材料に入射するように誘導することを含む、請求項１、２、３、又は４に記載の方法。
【請求項８】
前記感光性材料層の前記外縁から前記感光性材料を除去する前記ステップは、
前記感光性材料層の前記外縁の感光性材料を除去するための初期除去ステップと、
前記エッジを生成するように、レーザからの放射を前記感光性材料に入射するよう誘導して残りの感光性材料層の周りから更に感光性材料を除去する後続の除去ステップと、を含む、請求項１、２、３、又は４に記載の方法。
【請求項９】
前記エッジを生成するように前記感光性材料に対する前記放射の入射を振動させることを更に含む、請求項７に記載の方法。
【請求項１０】
前記レーザからの前記放射ビームをパルス化することと、前記エッジを生成するように、前記感光性材料に入射する前記パルス化放射を前記感光性材料に対して移動させることと、を更に含む、請求項７に記載の方法。
【請求項１１】
パターニングデバイスを提供することと、前記エッジを生成するように前記パターニングデバイスから反射するよう又は前記パターニングデバイスを通過するよう前記放射を誘導することと、を更に含む、請求項７に記載の方法。
【請求項１２】
前記感光性材料層の前記外縁から前記感光性材料を除去する前記ステップは、
前記感光性材料層の前記外縁の前記感光性材料をプラズマに暴露することを含む、請求項１、２、３、又は４に記載の方法。
【請求項１３】
前記感光性材料層の前記外縁から前記感光性材料を除去する前記ステップは、
前記感光性材料層の前記外縁の感光性材料を除去するための初期除去ステップと、
前記エッジを生成するように、前記感光性材料をプラズマに暴露して残りの感光性材料層の周りから更に感光性材料を除去する後続の除去ステップと、を含む、請求項１、２、３、又は４に記載の方法。
【請求項１４】
前記基板の前記エッジにおける円周方向速度が約１２ｍ／ｓ以下であるように前記基板を回転させることを含む、請求項１、２、３、又は４に記載の方法。
【請求項１５】
基板を処理するための装置であって、
表面上に感光性材料層を含む基板を支持するように構成された基板サポートシステムと、
前記感光性材料層の外縁から感光性材料を除去するように構成された基板エッジ処理ユニットと、を備え、
前記基板エッジ処理ユニットは、前記基板の前記表面上に残っている前記感光性材料層にエッジを生成するよう前記感光性材料の前記除去を制御するように構成され、前記エッジは半径方向の幅を有し、前記基板の前記表面上に残っている前記感光性材料は、前記エッジの前記半径方向の幅における厚さが変動することにより厚さプロファイルを形成し、前記基板エッジ処理ユニットは更に、前記エッジの長さに沿った前記厚さプロファイルの変動を生成するよう前記除去を制御するように構成されている、装置。
【請求項１６】
基板を処理するための装置であって、
表面上に感光性材料層を含む基板を支持するように構成された基板サポートシステムと、
前記感光性材料層の外縁から感光性材料を除去するように構成された基板エッジ処理ユニットと、を備え、
前記基板エッジ処理ユニットは、前記基板の前記表面上に残っている前記感光性材料層に粗いエッジを生成するよう前記感光性材料の前記除去を制御するように構成されている、装置。
【国際調査報告】
2019506730.tif 000032
2019506730.tif 000033